(57)【要約】【課題】同一の移動通信端末間で略同時に双方から発信した場合であっても、両移動通信端末間での通信を確立させることができる移動通信交換装置を提供する。【解決手段】第１移動通信交換装置４０は、同一の移動通信端末１０間での双方発信に係る接続要求信号Ａ及び接続要求信号Ｂのうち優先される接続要求を示す乱数Ａ，Ｂを取得する。取得された乱数Ａ，Ｂに基づいて、接続要求信号Ａによる接続要求を接続要求信号Ｂによる接続要求に対して優先させるか否かを判定する。そして、接続要求信号Ａによる接続要求を接続要求信号Ｂによる接続要求に対して優先させないと判定した場合、接続要求信号Ａによる接続要求の取消し処理を行う。このような取消し処理により、他方の接続要求信号Ｂによる接続要求に基づく通信を確立させて、同一の移動通信端末１０間での略同時発信による通信を確立させる。【選択図】図１
2010124151.tif 000002
【特許請求の範囲】
【請求項１】
通信端末間の通信を制御する通信交換装置であって、
通信端末からの発信要求を示す発信要求信号に基づいて、他の通信交換装置への接続要求を示す第１接続要求信号を生成する接続要求信号生成手段と、
前記接続要求信号生成手段により生成された前記第１接続要求信号を前記他の通信交換装置へ送信する接続要求信号送信手段と、
前記他の通信交換装置からの接続要求を示す第２接続要求信号を前記他の通信交換装置から受信する接続要求信号受信手段と、
前記第１接続要求信号による接続要求と前記第２接続要求信号による接続要求とのうち優先される接続要求を示す優先接続情報を取得する優先接続情報取得手段と、
前記接続要求信号送信手段による前記第１接続要求信号の送信と前記接続要求信号受信手段による前記第２接続要求信号の受信とが所定の時間内に行われたか否かを判定する送受信時間判定手段と、
前記送受信時間判定手段で前記第１接続要求信号の送信と前記第２接続要求信号の受信とが前記所定の時間内に行なわれたと判定された場合、前記第１接続要求信号による発着信に係る両通信端末と前記第２接続要求信号による発着信に係る両通信端末とが同一であるか否かを判定する同一端末判定手段と、
前記同一端末判定手段で前記第１接続要求信号による発着信に係る両通信端末と前記第２接続要求信号による発着信に係る両通信端末とが同一であると判定された場合、前記優先接続情報取得手段で取得された前記優先接続情報に基づいて、前記第１接続要求信号による接続要求を前記第２接続要求信号による接続要求に対して優先させるか否かを判定する優先接続判定手段と、
前記優先接続判定手段で前記第１接続要求信号による接続要求を前記第２接続要求信号による接続要求に対して優先させないと判定された場合、前記接続要求信号送信手段で送信された前記第１接続要求信号による接続要求の取消し処理を行う接続要求取消し手段と、
を備えることを特徴とする通信交換装置。
【請求項２】
前記所定の時間は、前記第１接続要求信号と前記第２接続要求信号とのうち先に送受信された最先接続要求信号の送受信時から該最先接続要求信号に基づく呼が呼出中の状態に遷移するまでの時間であることを特徴とする請求項１に記載の通信交換装置。
【請求項３】
前記優先接続情報取得手段は、前記第１接続要求信号による接続要求の優先度を示す第１優先度情報を設定又は受信することで取得する第１優先度情報取得手段と、前記第２接続要求信号による接続要求の優先度を示す第２優先度情報を前記他の通信交換装置から受信することで取得する第２優先度情報取得手段とを有し、
前記優先接続判定手段は、前記第１優先度情報の優先度と前記第２優先度情報の優先度とを比較して、前記第１接続要求信号による接続要求を前記第２接続要求信号による接続要求に対して優先させるか否かを判定することを特徴とする請求項１又は２に記載の通信交換装置。
【請求項４】
前記第１優先度情報には乱数として取得された第１の数値情報が含まれ、前記第２優先度情報には、前記他の通信交換装置で別の乱数として取得された第２の数値情報が含まれ、
前記優先接続判定手段は、前記第１の数値情報と前記第２の数値情報との大小に応じて、前記第１接続要求信号による接続要求を前記第２接続要求信号による接続要求に対して優先させるか否かを判定することを特徴とする請求項３に記載の通信交換装置。
【請求項５】
前記優先接続情報取得手段は、前記同一端末判定手段で同一と判定された通信端末間での通話が一方の通信端末側で切断されたことを示す呼切断フラグを設定又は受信することで前記優先接続情報を取得し、
前記優先接続判定手段は、前記通話を切断した通信端末側を示す前記呼切断フラグに基づいて、前記第１接続要求信号による接続要求を前記第２接続要求信号による接続要求に対して優先させるか否かを判定することを特徴とする請求項１又は２に記載の通信交換装置。
【請求項６】
通信端末からの発信要求信号に基づく通信交換装置間での接続要求に対する発信優先権を管理する発信優先権管理装置であって、
発着信に係る両通信端末を特定する発信要求信号に基づく接続要求であって一方の通信交換装置から他方の通信交換装置への接続要求に対する発信優先権の要求を示すと共に当該両通信端末を特定する端末特定情報を含む発信優先権要求信号を前記一方の通信交換装置から受信する発信優先権要求信号受信手段と、
前記発信優先権要求信号受信手段で受信した前記発信優先権要求信号に含まれる前記端末特定情報で特定される両通信端末と同一の通信端末間の発着信に係る接続要求に対して所定の時間内に前記発信優先権を付与したか否かを判定する発信優先権付与判定手段と、
前記発信優先権付与判定手段により前記所定の時間内に前記発信優先権を付与していないと判定された場合、前記発信優先権要求信号に対して前記発信優先権を付与する優先権付与手段と、
前記発信優先権付与判定手段により前記所定の時間内に前記発信優先権を付与したと判定された場合、前記発信優先権要求信号に対して発信規制することを示した発信規制応答信号を生成する発信規制応答信号生成手段と、
前記発信規制応答信号生成手段で生成された前記発信規制応答信号を前記一方の通信交換装置へ送信する発信規制応答信号送信手段と、
を備えることを特徴とする発信優先権管理装置。
【請求項７】
前記所定の時間は、前記発信優先権要求信号の受信時から該発信優先権要求信号に基づく通話が終話するまでの時間であることを特徴とする請求項６に記載の発信優先権管理装置。
【請求項８】
前記優先権付与手段により前記発信優先権要求信号に対して前記発信優先権を付与した場合、前記発信優先権要求信号に対して前記発信優先権を付与した発信優先権応答信号を生成する優先応答信号生成手段と、
前記優先応答信号生成手段で生成された前記発信優先権応答信号を前記一方の通信交換装置へ送信する優先応答信号送信手段と、
を備えることを特徴とする請求項６又は７に記載の発信優先権管理装置。
【請求項９】
通信交換装置により他の通信端末との間で発着信可能な通信端末であって、
前記他の通信端末への発信要求を示す発信要求信号を前記通信交換装置へ送信する発信要求信号送信手段と、
前記他の通信端末からの着信要求を示す着信要求信号を前記通信交換装置から受信する着信要求信号受信手段と、
前記発信要求信号による接続要求と前記着信要求信号による接続要求とのうち優先される接続要求を示す優先接続情報を取得する優先接続情報取得手段と、
前記発信要求信号送信手段による前記発信要求信号の送信と前記着信要求信号受信手段による前記着信要求信号の受信とが所定の時間内に行われたか否かを判定する送受信時間判定手段と、
前記送受信時間判定手段で前記発信要求信号の送信と前記着信要求信号の受信とが前記所定の時間内に行なわれたと判定された場合、前記発信要求信号による着信に係る通信端末と前記着信要求信号による発信に係る通信端末とが同一であるか否かを判定する同一端末判定手段と、
前記同一端末判定手段で前記発信要求信号による着信に係る通信端末と前記着信要求信号による発信に係る通信端末とが同一であると判定された場合、前記優先接続情報取得手段で取得された前記優先接続情報に基づいて、前記発信要求信号による接続要求を前記着信要求信号による接続要求に対して優先させるか否かを判定する優先接続判定手段と、
前記優先接続判定手段で前記発信要求信号による接続要求を前記着信要求信号による接続要求に対して優先させないと判定された場合、前記発信要求信号送信手段で送信された前記発信要求信号による接続要求の取消し処理を行う発信要求取消し手段と、
を備えることを特徴とする通信端末。
【請求項１０】
前記所定の時間は、前記発信要求信号と前記着信要求信号とのうち先に送受信された最先発着信要求信号の送受信時から該最先発着信要求信号に基づく呼が呼出中の状態に遷移するまでの時間であることを特徴とする請求項９に記載の通信端末。
【請求項１１】
前記優先接続情報取得手段は、前記発信要求信号による接続要求の優先度を示す第１優先度情報を設定することで取得する第１優先度情報取得手段と、前記着信要求信号による接続要求の優先度を示す第２優先度情報を前記通信交換装置から受信することで取得する第２優先度情報取得手段とを有し、
前記優先接続判定手段は、前記第１優先度情報の優先度と前記第２優先度情報の優先度とを比較して、前記発信要求信号による接続要求を前記着信要求信号による接続要求に対して優先させるか否かを判定することを特徴とする請求項９又は１０に記載の通信端末。
【請求項１２】
前記第１優先度情報には乱数として取得された第１の数値情報が含まれ、前記第２優先度情報には、別の乱数として取得された第２の数値情報が含まれ、
前記優先接続判定手段は、前記第１の数値情報と前記第２の数値情報との大小に応じて、前記発信要求信号による接続要求を前記着信要求信号による接続要求に対して優先させるか否かを判定することを特徴とする請求項１１に記載の通信端末。
【請求項１３】
他の通信端末との間で発着信可能な第１通信端末と、前記第１通信端末の通信を制御する第１通信交換装置と、前記第１通信端末との間で発着信可能な第２通信端末と、前記第２通信端末の通信を制御する第２通信交換装置と、を含んで構成される通信システムであって、
前記第１通信端末から前記第２通信端末への第１発信要求と前記第２通信端末から前記第１通信端末への第２発信要求とが所定の時間内に行われた場合に、前記第１発信要求による接続要求と前記第２発信要求による接続要求とのうち優先される接続要求を示す優先接続情報に基づいて、前記第１発信要求による接続要求を前記第２発信要求による接続要求に対して優先させるか否かを判定する優先接続判定手段と、
前記優先接続判定手段で前記第１発信要求による接続要求を前記第２発信要求による接続要求に対して優先させないと判定された場合、前記第１発信要求による接続要求の取消し処理を行う接続要求取消し手段と
を備えることを特徴とする通信システム。
【請求項１４】
通信端末間の通信を制御する通信交換装置における通信制御方法であって、
前記通信交換装置は、通信端末からの発信要求を示す発信要求信号に基づいて、他の通信交換装置への接続要求を示す第１接続要求信号を生成する接続要求信号生成ステップと、
前記接続要求信号生成ステップにより生成された前記第１接続要求信号を前記通信交換装置が前記他の通信交換装置へ送信する接続要求信号送信ステップと、
前記他の通信交換装置からの接続要求を示す第２接続要求信号を前記通信交換装置が前記他の通信交換装置から受信する接続要求信号受信ステップと、
前記第１接続要求信号による接続要求と前記第２接続要求信号による接続要求とのうち優先される接続要求を示す優先接続情報を前記通信交換装置が取得する優先接続情報取得ステップと、
前記接続要求信号送信ステップによる前記第１接続要求信号の送信と前記接続要求信号受信ステップによる前記第２接続要求信号の受信とが所定の時間内に行われたか否かを前記通信交換装置が判定する送受信時間判定ステップと、
前記送受信時間判定ステップで前記第１接続要求信号の送信と前記第２接続要求信号の受信とが前記所定の時間内に行なわれたと判定された場合、前記第１接続要求信号による発着信に係る両通信端末と前記第２接続要求信号による発着信に係る両通信端末とが同一であるか否かを前記通信交換装置が判定する同一端末判定ステップと、
前記同一端末判定ステップで前記第１接続要求信号による発着信に係る両通信端末と前記第２接続要求信号による発着信に係る両通信端末とが同一であると判定された場合、前記優先接続情報取得ステップで取得された前記優先接続情報に基づいて、前記第１接続要求信号による接続要求を前記第２接続要求信号による接続要求に対して優先させるか否かを前記通信交換装置が判定する優先接続判定ステップと、
前記優先接続判定ステップで前記第１接続要求信号による接続要求を前記第２接続要求信号による接続要求に対して優先させないと判定された場合、前記接続要求信号送信ステップで送信された前記第１接続要求信号による接続要求の取消し処理を前記通信交換装置が行う接続要求取消しステップと、
を含むことを特徴とする通信制御方法。
【請求項１５】
通信端末からの発信要求信号に基づく通信交換装置間での接続要求に対する発信優先権を管理する発信優先権管理装置による通信制御方法であって、
発着信に係る両通信端末を特定する発信要求信号に基づく接続要求であって一方の通信交換装置から他方の通信交換装置への接続要求に対する発信優先権の要求を示すと共に当該両通信端末を特定する端末特定情報を含む発信優先権要求信号を前記発信優先権管理装置が前記一方の通信交換装置から受信する発信優先権要求信号受信ステップと、
前記発信優先権要求信号受信ステップで受信した前記発信優先権要求信号に含まれる前記端末特定情報で特定される両通信端末と同一の通信端末間の発着信に係る接続要求に対して所定の時間内に前記発信優先権を付与したか否かを判定する発信優先権付与判定ステップと、
前記発信優先権付与判定ステップにより前記所定の時間内に前記発信優先権を付与していないと判定された場合、前記発信優先権要求信号に対して前記発信優先権を付与する優先権付与ステップと、
前記発信優先権付与判定ステップにより前記所定の時間内に前記発信優先権を付与したと判定された場合、前記発信優先権要求信号に対して発信規制することを示した発信規制応答信号を生成する発信規制応答信号生成ステップと、
前記発信規制応答信号生成ステップで生成された前記発信規制応答信号を前記発信優先権管理装置が前記一方の通信交換装置へ送信する発信規制応答信号送信ステップと、
を含むことを特徴とする通信制御方法。
【請求項１６】
通信交換装置により他の通信端末との間で発着信可能な通信端末による通信制御方法であって、
前記他の通信端末への発信要求を示す発信要求信号を前記通信端末が前記通信交換装置へ送信する発信要求信号送信ステップと、
前記他の通信端末からの着信要求を示す着信要求信号を前記通信端末が前記通信交換装置から受信する着信要求信号受信ステップと、
前記発信要求信号による接続要求と前記着信要求信号による接続要求とのうち優先される接続要求を示す優先接続情報を前記通信端末が取得する優先接続情報取得ステップと、
前記発信要求信号送信ステップによる前記発信要求信号の送信と前記着信要求信号受信ステップによる前記着信要求信号の受信とが所定の時間内に行われたか否かを前記通信端末が判定する送受信時間判定ステップと、
前記送受信時間判定ステップで前記発信要求信号の送信と前記着信要求信号の受信とが前記所定の時間内に行なわれたと判定された場合、前記発信要求信号による着信に係る通信端末と前記着信要求信号による発信に係る通信端末とが同一であるか否かを前記通信端末が判定する同一端末判定ステップと、
前記同一端末判定ステップで前記発信要求信号による着信に係る通信端末と前記着信要求信号による発信に係る通信端末とが同一であると判定された場合、前記優先接続情報取得ステップで取得された前記優先接続情報に基づいて、前記発信要求信号による接続要求を前記着信要求信号による接続要求に対して優先させるか否かを前記通信端末が判定する優先接続判定ステップと、
前記優先接続判定ステップで前記発信要求信号による接続要求を前記着信要求信号による接続要求に対して優先させないと判定された場合、前記発信要求信号送信ステップで送信された前記発信要求信号による接続要求の取消し処理を前記通信端末が行う発信要求取消しステップと、
を含むことを特徴とする通信制御方法。
【発明の詳細な説明】
【技術分野】
【０００１】
本発明は、通信交換装置、発信優先権管理装置、通信端末、通信システムおよび通信制御方法に関する。
【背景技術】
【０００２】
移動通信端末による通話中に一時的に電波環境が悪化すると、電波環境が悪化した側の移動通信端末が通信可能圏外となり、電波環境が悪化した側の移動通信端末に対して呼切断が行われ、両移動通信端末間の通信が切断処理される。
【特許文献１】特開平６−１３３３６１号公報
【発明の開示】
【発明が解決しようとする課題】
【０００３】
このように、一時的な電波環境の悪化による移動通信端末の呼切断があると２者間の通話が突然、切断されることになる。このため、通話を再開させようとして、通話中であった双方の移動通信端末から相手方の移動通信端末に対して、略同時に発信が行われる場合がある。ところが、同一の移動通信端末間において、相手方の移動通信端末に対して略同時に互いに発信を行おうとすると、発信先の移動通信端末それぞれが相手の移動通信端末に対して発信中であり、仮に発信中の通話と着信した通話のいずれかをキャッチホン等の従来技術によって選択可能とした場合においても、両者が互いに異なる通話の確立を選択した場合には、いつまでも通話が確立されない問題が発生する。そこで、一般的には、同一の移動通信端末間において略同時に互いに発信を行った場合には、両移動通信端末において新たに通話を受け付けることはせず、双方へ話中音が送出されるのみであり、結果的に、同一の移動通信端末間での通信の接続処理を双方で行っているにもかかわらず両移動通信端末間での通信が確立されないといった問題があった。
【０００４】
本発明は、以上の問題点を解決するためになされたものであり、同一の通信端末間で略同時に双方から発信した場合であっても、両通信端末間での通信を確立させることができる通信交換装置、発信優先権管理装置、通信端末、通信システムおよび通信制御方法を提供することを目的とする。
【課題を解決するための手段】
【０００５】
上記課題を解決するために、本発明の通信交換装置は、通信端末間の通信を制御する通信交換装置であって、通信端末からの発信要求を示す発信要求信号に基づいて、他の通信交換装置への接続要求を示す第１接続要求信号を生成する接続要求信号生成手段と、接続要求信号生成手段により生成された第１接続要求信号を他の通信交換装置へ送信する接続要求信号送信手段と、他の通信交換装置からの接続要求を示す第２接続要求信号を他の通信交換装置から受信する接続要求信号受信手段と、第１接続要求信号による接続要求と第２接続要求信号による接続要求とのうち優先される接続要求を示す優先接続情報を取得する優先接続情報取得手段と、接続要求信号送信手段による第１接続要求信号の送信と接続要求信号受信手段による第２接続要求信号の受信とが所定の時間内に行われたか否かを判定する送受信時間判定手段と、送受信時間判定手段で第１接続要求信号の送信と第２接続要求信号の受信とが所定の時間内に行なわれたと判定された場合、第１接続要求信号による発着信に係る両通信端末と第２接続要求信号による発着信に係る両通信端末とが同一であるか否かを判定する同一端末判定手段と、同一端末判定手段で第１接続要求信号による発着信に係る両通信端末と第２接続要求信号による発着信に係る両通信端末とが同一であると判定された場合、優先接続情報取得手段で取得された優先接続情報に基づいて、第１接続要求信号による接続要求を第２接続要求信号による接続要求に対して優先させるか否かを判定する優先接続判定手段と、優先接続判定手段で第１接続要求信号による接続要求を第２接続要求信号による接続要求に対して優先させないと判定された場合、接続要求信号送信手段で送信された第１接続要求信号による接続要求の取消し処理を行う接続要求取消し手段と、を備える。
【０００６】
また、本発明の通信制御方法は、通信端末間の通信を制御する通信交換装置における通信制御方法であって、通信交換装置は、通信端末からの発信要求を示す発信要求信号に基づいて、他の通信交換装置への接続要求を示す第１接続要求信号を生成する接続要求信号生成ステップと、接続要求信号生成ステップにより生成された第１接続要求信号を通信交換装置が他の通信交換装置へ送信する接続要求信号送信ステップと、他の通信交換装置からの接続要求を示す第２接続要求信号を通信交換装置が他の通信交換装置から受信する接続要求信号受信ステップと、第１接続要求信号による接続要求と第２接続要求信号による接続要求とのうち優先される接続要求を示す優先接続情報を通信交換装置が取得する優先接続情報取得ステップと、接続要求信号送信ステップによる第１接続要求信号の送信と接続要求信号受信ステップによる第２接続要求信号の受信とが所定の時間内に行われたか否かを通信交換装置が判定する送受信時間判定ステップと、送受信時間判定ステップで第１接続要求信号の送信と第２接続要求信号の受信とが所定の時間内に行なわれたと判定された場合、第１接続要求信号による発着信に係る両通信端末と第２接続要求信号による発着信に係る両通信端末とが同一であるか否かを通信交換装置が判定する同一端末判定ステップと、同一端末判定ステップで第１接続要求信号による発着信に係る両通信端末と第２接続要求信号による発着信に係る両通信端末とが同一であると判定された場合、優先接続情報取得ステップで取得された優先接続情報に基づいて、第１接続要求信号による接続要求を第２接続要求信号による接続要求に対して優先させるか否かを通信交換装置が判定する優先接続判定ステップと、優先接続判定ステップで第１接続要求信号による接続要求を第２接続要求信号による接続要求に対して優先させないと判定された場合、接続要求信号送信ステップで送信された第１接続要求信号による接続要求の取消し処理を通信交換装置が行う接続要求取消しステップと、を含む。
【０００７】
このような本発明の通信交換装置及び通信制御方法によれば、第１接続要求信号による接続要求と第２接続要求信号による接続要求とのうち優先される接続要求を示す優先接続情報を取得する。続いて、第１接続要求信号及び第２接続要求信号に係る両通信端末が同一であれば、取得された優先接続情報に基づいて、第１接続要求信号による接続要求を第２接続要求信号による接続要求に対して優先させるか否かを判定する。そして、第１接続要求信号による接続要求を第２接続要求信号による接続要求に対して優先させないと判定した場合に、第１接続要求信号による接続要求の取消し処理を行うようになっている。このように、同一の通信端末間での発信に係る第１接続要求信号及び第２接続要求信号のうち第１接続要求信号による接続要求の取消し処理を行うことにより、他方の第２接続要求信号による接続要求に基づく通信を確立させて、同一の通信端末間での略同時発信による通信を確立させることができる。この結果、同一の通信端末間で略同時に双方から発信した場合であっても、保留等されずに、両通信端末間での通信を確立させることができ、通話を行うことができる。なお、本発明の通信交換装置及び通信制御方法は、一時的な電波環境の悪化による呼切断があった後の略同時発信の場合だけでなく、同一の通信端末間でたまたま略同時発信がなされたような場合にも適用される。
【０００８】
また、通信交換装置において、所定の時間は、第１接続要求信号と第２接続要求信号とのうち先に送受信された最先接続要求信号の送受信時から該最先接続要求信号に基づく呼が呼出中の状態に遷移するまでの時間であることが好ましい。これにより、接続要求の取消し処理を行う条件を限定させて、より適切に両通信端末間の接続を円滑に行わせることができる。
【０００９】
また、通信交換装置において、優先接続情報取得手段は、第１接続要求信号による接続要求の優先度を示す第１優先度情報を設定又は受信することで取得する第１優先度情報取得手段と、第２接続要求信号による接続要求の優先度を示す第２優先度情報を他の通信交換装置から受信することで取得する第２優先度情報取得手段とを有し、優先接続判定手段は、第１優先度情報の優先度と第２優先度情報の優先度とを比較して、第１接続要求信号による接続要求を第２接続要求信号による接続要求に対して優先させるか否かを判定するようにしてもよい。この場合、第１優先度情報には乱数として取得された第１の数値情報が含まれ、第２優先度情報には、他の通信交換装置で別の乱数として取得された第２の数値情報が含まれ、優先接続判定手段は、第１の数値情報と第２の数値情報との大小に応じて、第１接続要求信号による接続要求を第２接続要求信号による接続要求に対して優先させるか否かを判定することが好ましい。これにより、優先させる接続要求を確実に判定できる。
【００１０】
また、通信交換装置において、優先接続情報取得手段は、同一端末判定手段で同一と判定された通信端末間での通話が一方の通信端末側で切断されたことを示す呼切断フラグを設定又は受信することで優先接続情報を取得し、優先接続判定手段は、通話を切断した通信端末側を示す呼切断フラグに基づいて、第１接続要求信号による接続要求を第２接続要求信号による接続要求に対して優先させるか否かを判定するようにしてもよい。このように呼切断フラグを用いて判定するため、優先させる接続要求を確実に判定できる。
【００１１】
上記課題を解決するために、本発明の発信優先権管理装置は、通信端末からの発信要求信号に基づく通信交換装置間での接続要求に対する発信優先権を管理する発信優先権管理装置であって、発着信に係る両通信端末を特定する発信要求信号に基づく接続要求であって一方の通信交換装置から他方の通信交換装置への接続要求に対する発信優先権の要求を示すと共に当該両通信端末を特定する端末特定情報を含む発信優先権要求信号を一方の通信交換装置から受信する発信優先権要求信号受信手段と、発信優先権要求信号受信手段で受信した発信優先権要求信号に含まれる端末特定情報で特定される両通信端末と同一の通信端末間の発着信に係る接続要求に対して所定の時間内に発信優先権を付与したか否かを判定する発信優先権付与判定手段と、発信優先権付与判定手段により所定の時間内に発信優先権を付与していないと判定された場合、発信優先権要求信号に対して発信優先権を付与する優先権付与手段と、発信優先権付与判定手段により所定の時間内に発信優先権を付与したと判定された場合、発信優先権要求信号に対して発信規制することを示した発信規制応答信号を生成する発信規制応答信号生成手段と、発信規制応答信号生成手段で生成された発信規制応答信号を一方の通信交換装置へ送信する発信規制応答信号送信手段と、を備える。
【００１２】
また、本発明の通信制御方法は、通信端末からの発信要求信号に基づく通信交換装置間での接続要求に対する発信優先権を管理する発信優先権管理装置による通信制御方法であって、発着信に係る両通信端末を特定する発信要求信号に基づく接続要求であって一方の通信交換装置から他方の通信交換装置への接続要求に対する発信優先権の要求を示すと共に当該両通信端末を特定する端末特定情報を含む発信優先権要求信号を発信優先権管理装置が一方の通信交換装置から受信する発信優先権要求信号受信ステップと、発信優先権要求信号受信ステップで受信した発信優先権要求信号に含まれる端末特定情報で特定される両通信端末と同一の通信端末間の発着信に係る接続要求に対して所定の時間内に発信優先権を付与したか否かを判定する発信優先権付与判定ステップと、  発信優先権付与判定ステップにより所定の時間内に発信優先権を付与していないと判定された場合、発信優先権要求信号に対して発信優先権を付与する優先権付与ステップと、発信優先権付与判定ステップにより所定の時間内に発信優先権を付与したと判定された場合、発信優先権要求信号に対して発信規制することを示した発信規制応答信号を生成する発信規制応答信号生成ステップと、発信規制応答信号生成ステップで生成された発信規制応答信号を発信優先権管理装置が一方の通信交換装置へ送信する発信規制応答信号送信ステップと、を含む。
【００１３】
このような本発明の発信優先権管理装置及び通信制御方法によれば、一方の通信交換装置からの発信優先権要求信号に含まれる端末特定情報で特定される両通信端末と同一の通信端末間の発着信に係る接続要求に対して所定の時間内に発信優先権を付与したか否かを判定する。そして、同一の通信端末間の発着信に係る接続要求に対して既に発信優先権を付与していないと判定された場合、発信優先権要求信号に対して発信優先権を付与する。そして、発信優先権を所定の時間内に付与したと判定された場合、発信優先権要求信号に対して発信規制することを示した発信規制信号を生成して、一方の通信交換装置へ送信するようになっている。このように、同一の通信端末間における先の接続要求に対して優先権を付与すると共に既に発信優先権が付与された同一の通信端末間における後続の接続要求に対しては発信規制することにより、発信優先権が付与された接続要求に基づいて通信を確立させて、同一の通信端末間での略同時発信による通信を確立させることができる。この結果、同一の通信端末間で略同時に双方から発信した場合であっても、保留等されずに両通信端末間での通信を確立させることができ、通話を行うことができる。なお、本発明の発信優先権管理装置及び通信制御方法は、一時的な電波環境の悪化による呼切断があった後の略同時発信の場合だけでなく、同一の通信端末間でたまたま略同時発信がなされたような場合にも適用される。
【００１４】
また、発信優先権管理装置において、所定の時間は、発信優先権要求信号の受信時から該発信優先権要求信号に基づく通話が終話するまでの時間であることが好ましい。これにより、発信優先権を付与する条件を限定させて、より適切に両通信端末間の接続を円滑に行わせることができる。また、発信優先権管理装置において、優先権付与手段により発信優先権要求信号に対して発信優先権を付与した場合、発信優先権要求信号に対して発信優先権を付与した発信優先権応答信号を生成する優先応答信号生成手段と、優先応答信号生成手段で生成された発信優先権応答信号を一方の通信交換装置へ送信する優先応答信号送信手段と、を備えることが好ましい。これにより、優先させる発信優先権要求信号が明確となり、優先権に基づく両通信端末間の接続を円滑に行わせることができる。
【００１５】
上記課題を解決するために、本発明の通信端末は、通信交換装置により他の通信端末との間で発着信可能な通信端末であって、他の通信端末への発信要求を示す発信要求信号を通信交換装置へ送信する発信要求信号送信手段と、他の通信端末からの着信要求を示す着信要求信号を通信交換装置から受信する着信要求信号受信手段と、発信要求信号による接続要求と着信要求信号による接続要求とのうち優先される接続要求を示す優先接続情報を取得する優先接続情報取得手段と、発信要求信号送信手段による発信要求信号の送信と着信要求信号受信手段による着信要求信号の受信とが所定の時間内に行われたか否かを判定する送受信時間判定手段と、送受信時間判定手段で発信要求信号の送信と着信要求信号の受信とが所定の時間内に行なわれたと判定された場合、発信要求信号による着信に係る通信端末と着信要求信号による発信に係る通信端末とが同一であるか否かを判定する同一端末判定手段と、同一端末判定手段で発信要求信号による着信に係る通信端末と着信要求信号による発信に係る通信端末とが同一であると判定された場合、優先接続情報取得手段で取得された優先接続情報に基づいて、発信要求信号による接続要求を着信要求信号による接続要求に対して優先させるか否かを判定する優先接続判定手段と、優先接続判定手段で発信要求信号による接続要求を着信要求信号による接続要求に対して優先させないと判定された場合、発信要求信号送信手段で送信された発信要求信号による接続要求の取消し処理を行う発信要求取消し手段と、を備える。
【００１６】
また、本発明の通信制御方法は、通信交換装置により他の通信端末との間で発着信可能な通信端末による通信制御方法であって、他の通信端末への発信要求を示す発信要求信号を通信端末が通信交換装置へ送信する発信要求信号送信ステップと、他の通信端末からの着信要求を示す着信要求信号を通信端末が通信交換装置から受信する着信要求信号受信ステップと、発信要求信号による接続要求と着信要求信号による接続要求とのうち優先される接続要求を示す優先接続情報を通信端末が取得する優先接続情報取得ステップと、発信要求信号送信ステップによる発信要求信号の送信と着信要求信号受信ステップによる着信要求信号の受信とが所定の時間内に行われたか否かを通信端末が判定する送受信時間判定ステップと、送受信時間判定ステップで発信要求信号の送信と着信要求信号の受信とが所定の時間内に行なわれたと判定された場合、発信要求信号による着信に係る通信端末と着信要求信号による発信に係る通信端末とが同一であるか否かを通信端末が判定する同一端末判定ステップと、同一端末判定ステップで発信要求信号による着信に係る通信端末と着信要求信号による発信に係る通信端末とが同一であると判定された場合、優先接続情報取得ステップで取得された優先接続情報に基づいて、発信要求信号による接続要求を着信要求信号による接続要求に対して優先させるか否かを通信端末が判定する優先接続判定ステップと、優先接続判定ステップで発信要求信号による接続要求を着信要求信号による接続要求に対して優先させないと判定された場合、発信要求信号送信ステップで送信された発信要求信号による接続要求の取消し処理を通信端末が行う発信要求取消しステップと、を含む。
【００１７】
このような本発明の通信端末及び通信制御方法によれば、発信要求信号による接続要求と着信要求信号による接続要求とのうち優先される接続要求を示す優先接続情報を取得する。続いて、発信要求信号及び着信要求信号に係る相手方の通信端末が同一であれば、取得された優先接続情報に基づいて、発信要求信号による接続要求を着信要求信号による接続要求に対して優先させるか否かを判定する。そして、発信要求信号による接続要求を着信要求信号による接続要求に対して優先させないと判定した場合に、発信要求信号による接続要求の取消し処理を行うようになっている。このように、同一の通信端末間での発信に係る発信要求信号及び着信要求信号のうち発信要求信号による接続要求の取消し処理を行うことにより、他方の着信要求信号による接続要求に基づく通信を確立させて、同一の通信端末間での略同時発信による通信を確立させることができる。この結果、同一の通信端末間で略同時に双方から発信した場合であっても、保留等されずに両通信端末間での通信を確立させることができ、通話を行うことができる。なお、本発明の通信端末及び通信制御方法は、一時的な電波環境の悪化による呼切断があった後の略同時発信の場合だけでなく、同一の通信端末間でたまたま略同時発信がなされたような場合にも適用される。
【００１８】
また、通信端末において、所定の時間は、発信要求信号と着信要求信号とのうち先に送受信された最先発着信要求信号の送受信時から該最先発着信要求信号に基づく呼が呼出中の状態に遷移するまでの時間であることが好ましい。これにより、接続要求の取消し処理を行う条件を限定させて、より適切に両通信端末間の接続を円滑に行わせることができる。
【００１９】
また、通信端末において、優先接続情報取得手段は、発信要求信号による接続要求の優先度を示す第１優先度情報を設定することで取得する第１優先度情報取得手段と、着信要求信号による接続要求の優先度を示す第２優先度情報を通信交換装置から受信することで取得する第２優先度情報取得手段とを有し、優先接続判定手段は、第１優先度情報の優先度と第２優先度情報の優先度とを比較して、発信要求信号による接続要求を着信要求信号による接続要求に対して優先させるか否かを判定するようにしてもよい。この場合、第１優先度情報には乱数として取得された第１の数値情報が含まれ、第２優先度情報には、別の乱数として取得された第２の数値情報が含まれ、優先接続判定手段は、第１の数値情報と第２の数値情報との大小に応じて、発信要求信号による接続要求を着信要求信号による接続要求に対して優先させるか否かを判定することが好ましい。これにより、優先させる接続要求を確実に判定できる。
【００２０】
上記課題を解決するために、本発明の通信システムは、他の通信端末との間で発着信可能な第１通信端末と、第１通信端末の通信を制御する第１通信交換装置と、第１通信端末との間で発着信可能な第２通信端末と、第２通信端末の通信を制御する第２通信交換装置と、を含んで構成される通信システムであって、第１通信端末から第２通信端末への第１発信要求と第２通信端末から第１通信端末への第２発信要求とが所定の時間内に行われた場合に、第１発信要求による接続要求と第２発信要求による接続要求とのうち優先される接続要求を示す優先接続情報に基づいて、第１発信要求による接続要求を第２発信要求による接続要求に対して優先させるか否かを判定する優先接続判定手段と、優先接続判定手段で第１発信要求による接続要求を第２発信要求による接続要求に対して優先させないと判定された場合、第１発信要求による接続要求の取消し処理を行う接続要求取消し手段とを備える。
【００２１】
このような本発明の通信システムによれば、第１発信要求による接続要求と第２発信要求による接続要求とのうち優先される接続要求を示す優先接続情報に基づいて、第１発信要求による接続要求を第２発信要求による接続要求に対して優先させるか否かを判定する。そして、第１発信要求による接続要求を第２発信要求による接続要求に対して優先させないと判定された場合、第１発信要求による接続要求の取消し処理を行う。このように、同一の通信端末間での発信に係る第１発信要求及び第２発信要求のうち第１発信要求による接続要求の取消し処理を行うことにより、他方の第２発信要求による接続要求に基づく通信を確立させて、同一の通信端末間での略同時発信による通信を確立させることができる。この結果、同一の通信端末間で略同時に双方から発信した場合であっても、保留等されずに両通信端末間での通信を確立させることができ、通話を行うことができる。なお、本発明の通信システムは、一時的な電波環境の悪化による呼切断があった後の略同時発信の場合だけでなく、同一の通信端末間でたまたま略同時発信がなされたような場合にも適用される。
【発明の効果】
【００２２】
本発明によれば、同一の通信端末間での略同時発信による通信を確立させることができる。
【発明を実施するための最良の形態】
【００２３】
以下、添付図面を参照して本発明の一実施形態である通信システム、移動通信交換装置（ＭＳＣ：Mobile Switching Center）及び通信制御方法の好適な実施形態について説明する。なお、図面の説明において同一の要素には同一の符号を付し、重複する説明は省略する。
[第１実施形態]
【００２４】
まず、本発明の第１実施形態にかかる通信システム１の全体構成について、図１を参照しながら説明する。図１に示すように、通信システム１は、移動通信端末１０間での通信を確立させて移動通信端末１０と他の移動通信端末１０との間で通話を行えるようにするための通信システムである。この通信システム１は、第１加入者情報管理装置（ＨＬＲ−Ａ：Home Location Register）２０、第２加入者情報管理装置（ＨＬＲ−Ｂ）３０、第１移動通信交換装置（ＭＳＣ-Ａ）４０、第２移動通信交換装置（ＭＳＣ-Ｂ）５０、及び、複数の他の移動通信交換装置（ＭＳＣ、不図示）を含んで構成される。第１加入者情報管理装置２０は、複数の移動通信端末１０の在圏情報や加入者情報等を管理する。第２加入者情報管理装置３０は、第１加入者情報管理装置２０で管理する加入者情報とは別の複数の移動通信端末１０の在圏情報や加入者情報等を管理する。在圏情報は、移動通信端末１０の在圏する通信エリアを示す情報（移動通信端末１０を制御する移動通信交換装置４０，５０を特定する情報）であり、移動通信端末からの位置登録により生成、更新される。なお、通信システム１は、上記した第１加入者情報管理装置２０や第２加入者情報管理装置３０と同様の機能を有する別の加入者情報管理装置を更に含んで構成されてもよい。
【００２５】
第１移動通信交換装置４０は、一般的な通信制御機能として、移動通信端末１０が所定の通信エリアＡに在圏する場合に、通信エリアＡに在圏する移動通信端末１０の通信を制御するものである。第１移動通信交換装置４０は、各移動通信端末１０の加入者情報がいずれの加入者情報管理装置に収容されているかを示す管理装置特定情報を備えており、この管理装置特定情報に基づいて、第１加入者情報管理装置２０や第２加入者情報管理装置３０との間で加入者情報を送受信できるように、両加入者情報管理装置２０，３０と接続可能となっている。そして、この第１移動通信交換装置４０は、不図示の基地局や無線網を介して、通信エリアＡに在圏する移動通信端末１０の通信を、第１加入者情報管理装置２０や第２加入者情報管理装置３０から送信された加入者情報に基づいて制御する。
【００２６】
第２移動通信交換装置５０は、移動通信端末１０が通信エリアＡとは別の通信エリアＢに在圏する場合に、通信エリアＢに在圏する移動通信端末１０の通信を制御するものである。第２移動通信交換装置５０も、管理装置特定情報を備えており、この管理装置特定情報に基づいて、第１加入者情報管理装置２０や第２加入者情報管理装置３０との間で加入者情報を送受信できるように、両加入者情報管理装置２０，３０と接続可能となっている。そして、この第２移動通信交換装置５０は、不図示の基地局や無線網を介して、通信エリアＢに在圏する移動通信端末１０の通信を、第１加入者情報管理装置２０や第２加入者情報管理装置３０から送信された加入者情報に基づいて制御する。なお、他の移動通信交換装置も、第１移動通信交換装置４０等と同様の機能を有する。
【００２７】
上記の通信システム１では、例えば、図１に示されるように、第１加入者情報管理装置２０で加入者情報が管理される移動通信端末１０Ａが通信エリアＡに在圏して、この通信エリアＡに在圏中の移動通信端末１０Ａの通信を第１移動通信交換装置４０が制御するようになっている。また、第２加入者情報管理装置３０で加入者情報が管理される移動通信端末１０Ｂが通信エリアＢに在圏して、この通信エリアＢに在圏中の移動通信端末１０Ｂの通信を第２移動通信交換装置５０が制御するようになっている。この通信システム１は、移動通信端末１０Ａ，１０Ｂが移動することで在圏する通信エリアを変えると、移動通信端末１０Ａの通信を第２移動通信交換装置５０や他の移動通信交換装置が制御したり、移動通信端末１０Ｂの通信を第１移動通信交換装置４０や他の移動通信交換装置が制御したり、又は、移動通信端末１０Ａ，１０Ｂの通信を一の移動通信交換装置（例えば第１移動通信交換装置４０）が制御できるようになっている。なお、以下では、説明を容易にするため、第１移動通信交換装置４０が移動通信端末１０Ａの通信を制御し、第２移動通信交換装置５０が移動通信端末１０Ｂの通信を制御する場合を例にとって説明するが、本発明はこれらに限定されるものではない。
【００２８】
ここで、例えば、上記で説明したような通信システム１によって移動通信端末１０Ａと移動通信端末１０Ｂとの間で通話を行っている最中に一方の移動通信端末１０Ａ側の電波環境が一時的に悪化して呼切断され、両移動通信端末１０Ａ，１０Ｂ間の通信が突然、切断される状況になった場合について説明する。このように、通話中の移動通信端末１０Ａ，１０Ｂ間の通信が突然、切断されて両者間の通話が強制終了されると、通話途中であったことから、通話を再開させようとして、電波環境の回復後、移動通信端末１０Ａから移動通信端末１０Ｂへの発信と移動通信端末１０Ｂから移動通信端末１０Ａへの発信とが略同時に行われることがある。そして、同じ移動通信端末１０Ａ，１０Ｂ間で双方から略同時に互いに発信が行われると、発信先の移動通信端末１０Ｂ，１０Ａへの発信要求が第１移動通信交換装置４０及び第２移動通信交換装置５０に対して略同時に行われる。このような双方発信の状態が維持されると、従来の通信システムでは、両移動通信端末１０Ｂ，１０Ａにおいて新たに通話を受け付けることはせずに、話中音が第１移動通信交換装置４０又は第２移動通信交換装置５０から発信元の移動通信端末１０Ａ，１０Ｂに対して送出されるのみであり、結果として、両移動通信端末１０Ａ，１０Ｂ間での通信が確立されなくなってしまう。特に、第１加入者情報管理装置２０や第２加入者情報管理装置３０といったように加入者情報管理装置が複数ある通信システムでは、システムが複雑化していることから、上記のような状態を防止することが難しかった。
【００２９】
そこで、本実施形態では、両移動通信端末１０Ａ，１０Ｂ間で所定の時間内に互いに発信要求が行われた場合には、移動通信端末１０Ａからの発信要求による接続要求と移動通信端末１０Ｂからの発信要求による接続要求とのうち優先される接続要求を示す優先接続情報に基づいて、例えば、一方の移動通信端末１０Ｂからの発信要求による接続要求を他方の移動通信端末１０Ａからの発信要求による接続要求に対して優先させるか否かを判定する。そして、例えば、一方の移動通信端末１０Ｂからの発信要求による接続要求を他方の移動通信端末１０Ａからの発信要求による接続要求に対して優先させないと判定された場合に、移動通信端末１０Ｂからの発信要求による接続要求の取消し処理を行うようにしている。具体的には、本実施形態の第１移動通信交換装置４０及び第２移動通信交換装置５０では、次の機能を備えることにより、一方の接続要求の取消し処理を行うと共に、他方の接続要求による接続処理を行って、双方発信の状態を維持しないようにしている。そのため、複雑な通信システムであっても、上記したような状態を事前に防止できる。以下、第１移動通信交換装置４０について説明するが、第２移動通信交換装置５０は、第１移動通信交換装置４０と略同様の構成を有する。
【００３０】
第１移動通信交換装置４０について説明する。図２は、第１移動通信交換装置４０のハードウェア構成図である。図２に示すように、第１移動通信交換装置４０は、物理的には、ＣＰＵ４０ａ、ＲＯＭ４０ｂおよびＲＡＭ４０ｃ等の主記憶装置、第１加入者情報管理装置２０、第２加入者情報管理装置３０、第２移動通信交換装置５０、他の移動通信交換装置、および移動通信端末１０との間でデータの送受信を行うためのネットワークカード等の通信モジュール４０ｄ、ハードディスク等の補助記憶装置４０ｅなどを含む通常のコンピュータシステムとして構成される。後述する第１移動通信交換装置４０の各機能は、ＣＰＵ４０ａ、ＲＯＭ４０ｂ、ＲＡＭ４０ｃ等のハードウェア上に所定のコンピュータソフトウェアを読み込ませることにより、ＣＰＵ４０ａの制御の元で通信モジュール４０ｄを動作させると共に、主記憶装置４０ｂ，４０ｃや補助記憶装置４０ｅにおけるデータの読み出しおよび書き込みを行うことで実現される。
【００３１】
図３は、第１移動通信交換装置４０の構成概要図である。図３に示すように、第１移動通信交換装置４０は、機能的には、送受信部（接続要求信号送信手段、接続要求信号受信手段）４１、接続切断処理部４２、乱数設定部（第１優先度情報取得手段）４３、接続要求信号生成部（接続要求信号生成手段）４４、送受信時間判定部（送受信時間判定手段）４５、同一端末判定部（同一端末判定手段）４６、優先接続判定部（優先接続判定手段）４７、及び接続要求取消し部（接続要求取消し手段）４８を備えて構成される。
【００３２】
送受信部４１は、通信モジュール４０ｄを動作させて各種の信号を送受信するものである。例えば、送受信部４１は、通信エリアＡに在圏して第１移動通信交換装置４０によって制御される移動通信端末１０Ａから、発信先の移動通信端末１０Ｂへの発信要求を示す発信要求信号（例えば発信要求信号Ａ、図４参照）を受信する。この発信要求信号には、発信元の移動通信端末１０Ａの電話番号と発信先の移動通信端末１０Ｂの電話番号といった端末特定情報が含まれる。送受信部４１は、受信した発信要求信号を、接続切断処理部４２、乱数設定部４３、及び接続要求信号生成部４４へ出力する。なお、送受信部４１が送受信する他の信号については後述する。
【００３３】
接続切断処理部４２は、移動通信端末１０Ａと移動通信端末１０Ｂとの間の通信を接続又は切断させたりする処理を行うものである。接続切断処理部４２は、発信先の移動通信端末１０Ｂに対する発信要求を示す発信要求信号が送受信部４１から入力されると、上述した管理装置特定情報に基づいて、発信先となる移動通信端末１０Ｂの在圏情報を第２加入者情報管理装置３０から取得する。そして、詳細は後述するが、第１移動通信交換装置４０によって制御される移動通信端末１０Ａからの発信要求に基づいて移動通信交換装置間の接続を行うと優先接続判定部４７により判定された場合には、接続切断処理部４２は、移動通信端末１０Ａと移動通信端末１０Ｂとの間で通話が行えるように第１移動通信交換装置４０を、発信先の移動通信端末１０Ｂを制御する第２移動通信交換装置５０に接続させる。
【００３４】
接続切断処理部４２は、優先接続判定部４７等による判定処理に伴う時間経過による発信処理や着信処理のタイムアウト（各処理が所定の時間内に完了しなかった場合に各処理を強制的に終了させる処理）を防止するため、発信処理や着信処理の一時的な待ち合わせ処理を行う。このような待ち合わせ処理としては、例えば、タイムアウトとされる所定の時間が過ぎても、各処理が強制終了されないように所定の時間を一定時間延ばしてタイムアウトさせないものがある。また、移動通信端末１０Ａ，１０Ｂ間での通話中に第１移動通信交換装置４０が制御する移動通信端末１０Ａ側の電波環境が悪化等して移動通信端末１０Ａの呼切断が自動的に行われると、接続切断処理部４２は、この呼切断を検出して第１移動通信交換装置４０と第２移動通信交換装置５０との通信接続を切断する。
【００３５】
乱数設定部４３は、移動通信端末１０Ａから発信要求があると、その都度、所定の乱数Ａ（第１優先度情報、第１の数値情報）を設定するものである。乱数設定部４３は、他の移動通信端末１０Ｂへの発信要求を示す発信要求信号が送受信部４１から入力されると、接続要求の優先度を示す乱数Ａを設定する。乱数Ａの設定は、ＲＯＭ４０ｂ等に格納されている乱数設定プログラムを呼び出すことなどにより行われる。乱数Ａを設定した乱数設定部４３は、乱数Ａを示す数値情報を接続要求信号生成部４４に出力すると共に、この乱数Ａを示す数値情報を優先接続判定部４７に出力する。なお、発信要求のあった場合に一律に乱数を設定するのではなくて、呼切断があった場合にのみ、乱数を設定するようにしてもよい。
【００３６】
接続要求信号生成部４４は、移動通信端末１０Ａからの発信要求を示す発信要求信号Ａに基づいて、第２移動通信交換装置５０への接続要求を示す接続要求信号Ａ（第１接続要求信号）を生成するものである。接続要求信号生成部４４は、他の移動通信端末１０Ｂへの発信要求を示す発信要求信号Ａが送受信部４１から入力されると、第１移動通信交換装置４０から通話先の移動通信端末１０Ｂを管理する第２移動通信交換装置５０への接続要求を示す接続要求信号Ａを生成する。この接続要求信号Ａには、発信要求信号Ａに含まれる発信元の移動通信端末１０Ａの電話番号と発信先の移動通信端末１０Ｂの電話番号とを示す端末特定情報が含まれ、さらに、乱数設定部４３から出力された乱数Ａを示す数値情報が付与されている。接続要求信号生成部４４は、このような情報を含む接続要求信号Ａを送受信部４１及び同一端末判定部４６に出力する。なお、上記した接続切断処理部４２により接続処理全般が行われ、この接続要求信号生成部４４では、主に接続要求信号Ａの生成が行われる。
【００３７】
ここで、送受信部４１に戻って説明する。接続要求信号生成部４４から接続要求信号Ａが入力されると、送受信部４１は、接続要求信号生成部４４で生成されて入力された接続要求信号Ａを第２移動通信交換装置５０へ送信する。そして、送受信部４１は、接続要求信号Ａを送信すると、接続要求信号Ａの送信時刻を示す送信時刻情報を送受信時間判定部４５に出力する。送受信部４１から接続要求信号が送信された第２移動通信交換装置５０は、この接続要求信号Ａを受信する。なお、第２移動通信交換装置５０は、送受信部４１と同様の送受信部５１や、接続切断処理部４２と同様の接続切断処理部５２や、乱数設定部４３と同様に乱数Ｂ（第２優先度情報、第２の数値情報）を設定する乱数設定部（第２優先度情報取得手段）５３や、接続要求信号生成部４４と同様の接続要求信号生成部５４を備えている。接続要求信号生成部５４では、移動通信端末１０Ｂからの発信要求を示す発信要求信号Ｂに基づいて、他の移動通信交換装置である第１移動通信交換装置４０への接続要求を示す接続要求信号Ｂ（第２接続要求信号）が生成される。
【００３８】
一方、接続要求信号生成部５４で生成された接続要求信号Ｂが第２移動通信交換装置５０から第１移動通信交換装置４０へ送信されると、送受信部４１は、接続要求信号Ｂを受信する。この第２移動通信交換装置５０からの接続要求信号Ｂには、発信元の移動通信端末１０Ｂの電話番号と発信先の移動通信端末１０Ａの電話番号とを示す端末特定情報が含まれ、さらに、乱数設定部５３等から出力された乱数Ｂを示す数値情報が付与されている。そして、送受信部４１は、第２移動通信交換装置５０から接続要求信号Ｂを受信すると、接続要求信号Ｂの受信時刻を示す受信時刻情報を送受信時間判定部４５に出力すると共に、第２移動通信交換装置５０からの接続要求信号Ｂを同一端末判定部４６や優先接続判定部４７に出力する。なお、乱数設定部４３で設定される乱数Ａと乱数設定部５３で設定される乱数Ｂとは、同一の移動通信端末１０間、例えば移動通信端末１０Ａ，１０Ｂ間で双方から略同時に発信が行われた場合に、優先させる接続要求を示すための優先接続情報となる。そのため、第１移動通信交換装置４０においては、乱数Ａを設定する乱数設定部４３と乱数Ｂを受信する送受信部４１とにより、優先接続情報取得手段が構成される。
【００３９】
送受信時間判定部４５は、送受信部４１による第２移動通信交換装置５０への接続要求信号Ａの送信と、送受信部４１による第２移動通信交換装置５０からの接続要求信号Ｂの受信とが所定の時間内に行われたか否かを判定するものである。送受信時間判定部４５は、送受信部４１から入力された接続要求信号Ａの送信時刻情報と第２移動通信交換装置５０からの接続要求信号Ｂの受信時刻情報とに基づき、接続要求信号Ａと接続要求信号Ｂとのうち先に送受信された最早の接続要求信号の送受信時からその最早の接続要求信号に基づく呼が呼出中の状態に遷移するまでの間に後続の接続要求信号を受信した場合には、接続要求信号Ａの送信と接続要求信号Ｂの受信とが所定の時間内に行われたと判定する。送受信時間判定部４５は、両接続要求信号の送受信が所定の時間内に行われたと判定した場合には、同一タイミングでの送受信を示す同時送受信判定情報を同一端末判定部４６に出力する。一方、両接続要求信号の送受信が所定の時間内に行われなかったと判定された場合には、送受信時間判定部４５は、単独送受信判定情報を接続切断処理部４２に出力し、それぞれの接続要求信号に対する通常の通信接続を接続切断処理部４２に行わせる。
【００４０】
同一端末判定部４６は、送受信時間判定部４５で接続要求信号Ａの送信と接続要求信号Ｂの受信とが所定の時間内に行われたと判定された場合、送受信部４１から発信された接続要求信号Ａによる発着信に係る両移動通信端末と、送受信部４１で受信した接続要求信号Ｂによる発着信に係る両移動通信端末とが同一であるか否かを判定するものである。同一端末判定部４６は、送受信時間判定部４５から同時送受信判定情報が入力されると、接続要求信号生成部４４から入力される接続要求信号Ａに含まれる端末特定情報や送受信部４１から入力される接続要求信号Ｂに含まれる端末特定情報を参照する。
【００４１】
同一端末判定部４６は、参照した端末特定情報に基づいて、接続要求信号Ａによる発信元の移動通信端末の電話番号と接続要求信号Ｂによる発信先の移動通信端末の電話番号とが同一であって、且つ、接続要求信号Ａによる発信先の移動通信端末の電話番号と接続要求信号Ｂによる発信元の移動通信端末の電話番号とが同一であるか否かを判定する。つまり、同一端末判定部４６は、接続要求信号Ａによる発着信に係る両移動通信端末と接続要求信号Ｂによる発着信に係る両移動通信端末とが同一か否かを判定する。同一端末判定部４６は、両接続要求信号に係る両移動通信端末が同一であると判定した場合には、同一端末判定情報を優先接続判定部４７に出力する。一方、両移動通信端末が同一でないと判定した場合には、双方発信の状態とならないため、同一端末判定部４６は、非同一端末判定情報を接続切断処理部４２に出力し、それぞれの接続要求信号に対する通常の接続処理を接続切断処理部４２に行わせる。
【００４２】
優先接続判定部４７は、同一端末判定部４６で接続要求信号Ａによる発着信に係る両移動通信端末と接続要求信号Ｂによる発着信に係る両移動通信端末とが同一であると判定された場合、乱数設定部４３で設定された乱数Ａなどに基づいて、接続要求信号Ａによる接続要求を、接続要求信号Ｂによる接続要求に対して優先させるか否かを判定するものである。例えば、移動通信端末１０Ａ及び移動通信端末１０Ｂ間で双方から略同時に互いに発信が行われた場合、同一端末判定部４６は、両移動通信端末１０Ａ，１０Ｂが同一であると判定する。そして、優先接続判定部４７は、乱数設定部４３から入力される乱数Ａと送受信部４１から入力される乱数Ｂとの大小を比較し、数値が大きい数値が付与された接続要求信号による接続要求を、他方の小さい数値が付与された接続要求に対して優先させるといった判定をする。つまり、優先接続判定部４７は、乱数Ａが乱数Ｂより大きければ、第１移動通信交換装置４０からの接続要求を第２移動通信交換装置５０からの接続要求に対して優先させる判定を行う。
【００４３】
優先接続判定部４７は、第１移動通信交換装置４０からの接続要求を優先させる場合には、優先判定情報を接続切断処理部４２に出力する。この場合、第１移動通信交換装置４０では、送受信部４１で受信した接続要求の取消し処理が完了するのを待つ必要があるため、優先判定情報を受信した接続切断処理部４２に、優先判定された接続要求の基礎となった発信処理の待ち合わせ処理を行わせる。一方、乱数Ｂが乱数Ａより大きければ、第２移動通信交換装置５０からの接続要求を第１移動通信交換装置４０からの接続要求に対して優先させる判定を行う。優先接続判定部４７は、第２移動通信交換装置５０等の他の移動通信交換装置からの接続要求を優先させる場合には、非優先判定情報を接続切断処理部４２と接続要求取消し部４８に出力する。この場合、第１移動通信交換装置４０では、送受信部４１から送信した接続要求を後述する接続要求取消し部４８で取り消すため、非優先判定情報を受信した接続切断処理部４２に、優先判定された他方の接続要求に基づく着信処理の待ち合わせ処理を行わせる。
【００４４】
接続要求取消し部４８は、優先接続判定部４７で第１移動通信交換装置４０からの接続要求を他の移動通信交換装置からの接続要求に対して優先させないと判定された場合、つまり、第２移動通信交換装置５０からの接続要求を第１移動通信交換装置４０からの接続要求に対して優先させると判定された場合、送受信部４１から第２移動通信交換装置５０へ送信された接続要求信号Ａによる接続要求の取消し処理を行うものである。接続要求取消し部４８は、優先接続判定部４７から非優先判定情報が入力されると、第１移動通信交換装置４０が制御する移動通信端末１０Ａからの発信要求に対する切断要求を示す切断要求信号を、送受信部４１から発信元の移動通信端末１０Ａへ送信して、移動通信端末１０Ａに対して発信要求の切断を促す。そして、接続要求取消し部４８は、発信要求に対する切断要求を受け付けた移動通信端末１０Ａから送受信部４１を介して開放要求信号を受信すると、移動通信端末１０Ａからの発信要求を開放する処理を行う。接続要求取消し部４８は、この開放処理が終了したら、開放要求信号への応答である開放応答信号を送受信部４１から移動通信端末１０Ａに送信させる。
【００４５】
接続要求取消し部４８は、移動通信端末１０Ａへの切断要求信号の送信に併せて、第１移動通信交換装置４０から送信した接続要求信号による接続要求の開放を要求する開放要求信号を、送受信部４１から第２移動通信交換装置５０へ送信させる。そして、接続要求取消し部４８は、接続要求の開放処理を行った第２移動通信交換装置５０から開放応答信号を送受信部４１を介して受信する。これらの開放処理により、第１移動通信交換装置４０からの接続要求が取り消される。一方、優先接続判定部４７で第１移動通信交換装置４０からの接続要求を第２移動通信交換装置５０からの接続要求に対して優先させると判定された場合には、第２移動通信交換装置５０において、接続要求取消し部４８と略同様の構成を有する接続要求取消し部５８により、第２移動通信交換装置５０からの接続要求が同様に取り消される。この場合、接続要求取消し部４８は、第２移動通信交換装置５０からの接続要求の開放処理を、接続要求取消し部５８からの開放要求信号に応じて補完的に行う。
【００４６】
このように接続要求取消し部４８により、例えば、第１移動通信交換装置４０からの接続要求が取り消されると、接続要求が取り消された側の接続切断処理部４２は、優先判定された接続要求に基づいた着信要求信号を移動通信端末１０Ａへ送受信部４１を介して送信させる。着信要求信号を受信した移動通信端末１０Ａからの着信要求受付応答信号を受信した接続切断処理部４２は、他方の第２移動通信交換装置５０に接続要求応答信号と接続準備完了通知信号とを送受信部４１を介して送信する。これにより、移動通信端末１０Ａ，１０Ｂ間の通信が確立され、第１移動通信交換装置４０は、着信要求信号に基づく呼が呼出中となる状態に遷移する。なお、第２移動通信交換装置５０は、上述した第１移動通信交換装置４０の送受信時間判定部４５、同一端末判定部４６および優先接続判定部４７と同様の送受信時間判定部５５、同一端末判定部５６および優先接続判定部５７を含んで構成される。
【００４７】
続いて、通信システム１により行われる動作（通信制御方法）について、図４及び図５を参照しながら説明する。図４及び図５は、通信システム１の動作を示すシーケンス図である。
【００４８】
まず、移動通信端末１０Ａと移動通信端末１０Ｂとが接続されて通話中である場合（Ｓ１０１）に、移動通信端末１０Ａ側の電波状態が悪化するようなことがあると、移動通信端末１０Ａが呼切断される（Ｓ１０２）。この呼切断を検出すると、第１移動通信交換装置４０の接続切断処理部４２は、第２移動通信交換装置５０との間の通信接続を切断する（Ｓ１０３）。このように電波状態の悪化により通話が突然、切断されると、通話中であった両者は、通話を再開させようとして、その後、移動通信端末１０Ａから移動通信端末１０Ｂへの発信要求（発信要求信号Ａ）と移動通信端末１０Ｂから移動通信端末１０Ａへの発信要求（発信要求信号Ｂ）とが略同時に行われる場合がある。
【００４９】
このような場合において、第１移動通信交換装置４０では、移動通信端末１０Ａからの発信要求信号Ａを送受信部４１が受信すると（Ｓ１０４）、乱数設定部４３は、発信要求信号Ａの優先度を示す優先度情報である乱数Ａを設定する（Ｓ１０５）。乱数設定部４３は、乱数Ａを設定すると、乱数Ａを示す数値情報を接続要求信号生成部４４に出力すると共に、この乱数Ａを示す数値情報を優先接続判定部４７に出力する。その後、第１移動通信交換装置４０は、発信要求信号Ａに基づいて、発信先の移動通信端末１０Ｂの在圏情報を第２加入者情報管理装置３０から取得する（Ｓ１０６）。一方、第２移動通信交換装置５０でも、同様に、移動通信端末１０Ｂからの発信要求信号Ｂを送受信部５１が受信すると（Ｓ１０７）、乱数設定部５３は、発信要求信号Ｂの優先度を示す優先度情報である乱数Ｂを設定する（Ｓ１０８）。その後、第２移動通信交換装置５０は、発信要求信号Ｂに基づいて発信先の移動通信端末１０Ｂの在圏情報を第１加入者情報管理装置２０から取得する（Ｓ１０９）。
【００５０】
第１移動通信交換装置４０で発信先の移動通信端末１０Ｂの在圏情報が取得されると、接続要求信号生成部４４は、移動通信端末１０Ａからの発信要求を示す発信要求信号Ａに基づいて、第２移動通信交換装置５０への接続要求を示す接続要求信号Ａを生成する（接続要求信号生成ステップ）。そして、送受信部４１は、生成された接続要求信号Ａを第２移動通信交換装置５０へ送信する（接続要求信号送信ステップ、Ｓ１１０）。また、送受信部４１は、接続要求信号Ａの送信時刻を示す送信時刻情報を送受信時間判定部４５に出力する。一方、第２移動通信交換装置５０でも、同様に、移動通信端末１０Ｂからの発信要求信号Ｂに基づいて、第１移動通信交換装置４０への接続要求信号Ｂが生成され、送受信部５１により、接続要求信号Ｂが第１移動通信交換装置４０へ送信される。第１移動通信交換装置４０の送受信部４１は、この第２移動通信交換装置５０からの接続要求信号Ｂを受信する（接続要求信号受信ステップ、Ｓ１１１）。また、送受信部４１は、接続要求信号Ｂの受信時刻を示す受信時刻情報を送受信時間判定部４５に出力する。第２移動通信交換装置５０でも、同様に、送信時刻情報と受信時刻情報とが送受信時間判定部５５へ出力される。なお、ステップＳ１０５の乱数Ａの設定ステップと、ステップＳ１１１の乱数Ｂを含む接続要求信号Ｂの受信ステップとにより、第１移動通信交換装置４０において、接続要求信号Ａによる接続要求と接続要求信号Ｂによる接続要求とのうち優先される接続要求を示す優先接続情報が取得される優先接続情報取得ステップが構成される。
【００５１】
続いて、送信時刻情報と受信時刻情報とが入力された第１移動通信交換装置４０では、接続要求信号Ａの送信と接続要求信号Ｂの受信とが所定の時間内に行われたか否かを送受信時間判定部４５が判定する（送受信時間判定ステップ、Ｓ１１２）。送受信時間判定部４５が両接続要求信号の送受信が所定の時間内に行なわれたと判定した場合には、ステップＳ１１３に進み、両接続要求信号の送受信が所定の時間内に行なわれなかったと判定した場合には、ステップＳ１１４に進んで通常の接続処理を行う。接続要求信号Ａを受信して接続要求信号Ｂを送信した第２移動通信交換装置５０の送受信時間判定部５５でも、同様の判定を行う（Ｓ１１５、Ｓ１１４）。
【００５２】
続いて、送受信時間判定部４５にて両接続要求信号の送受信が所定の時間内に行なわれたと判定された場合には、受信した接続要求信号Ｂによる発着信に係る両移動通信端末と送信した接続要求信号Ａによる発着信に係る両移動通信端末とが同一であるか否かを同一端末判定部４６が判定する（同一端末判定ステップ、Ｓ１１３）。同一端末判定部４６が両移動通信端末は同一であると判定した場合には、ステップＳ１１６に進み、両移動通信端末は同一でないと判定した場合には、ステップＳ１１４に進んで通常の接続処理を行う。接続要求信号Ａを受信した第２移動通信交換装置５０の同一端末判定部５６でも、同様の判定を行う（Ｓ１１７、Ｓ１１４）。
【００５３】
続いて、同一端末判定部４６にて両移動通信端末が同一と判定された場合には、接続要求信号Ａに付与されている乱数Ａと接続要求信号Ｂに付与されている乱数Ｂとから、優先接続判定部４７は、接続要求信号Ａによる接続要求を、接続要求信号Ｂによる接続要求に対して優先させるか否かを判定する（優先接続判定ステップ、Ｓ１１６）。第２移動通信交換装置５０の優先接続判定部５７でも、同様の判定を行う（Ｓ１１８）。なお、本動作説明では、以下、乱数Ａが付与された接続要求信号Ａが優先される場合について説明するが、乱数Ｂが付与された接続要求信号Ｂが優先される場合についても、第１、第２移動通信交換装置４０，５０の動作が入れ替わって同様の動作がなされる。
【００５４】
まず、第１移動通信交換装置４０では、優先接続判定部４７により、乱数Ａと乱数Ｂとの大小が比較され、乱数Ａが大と判定されることで、接続要求信号Ａが優先されると判定される。また、第２移動通信交換装置５０では、優先接続判定部５７により、乱数Ａと乱数Ｂとの大小が比較され、乱数Ａが大と判定されることで、接続要求信号Ａが優先されると判定される。なお、優先接続判定部４７，５７により接続要求信号Ｂが優先されると判定される場合には、ステップＳ１１９に進む。
【００５５】
優先接続判定部４７により接続要求信号Ａが優先されると判定されると、接続切断処理部４２は、接続要求信号Ａによる発信処理の待ち合わせ処理を行う（Ｓ１２０）。また、優先接続判定部５７により接続要求信号Ａが優先されると判定されると、接続切断処理部５２は、接続要求信号Ａによる着信処理の待ち合わせ処理を行う（Ｓ１２１）。これら待ち合わせ処理により、送信済みの接続要求信号Ａによる接続要求処理のタイムアウトが防止される。
【００５６】
続いて、優先接続判定部５７により接続要求信号Ｂを優先させないといった非優先判定情報が入力されると、接続要求取消し部５８は、第２移動通信交換装置５０が制御する移動通信端末１０Ｂからの発信要求に対する切断要求を示す切断要求信号を、送受信部５１から発信元の移動通信端末１０Ｂへ送信して、移動通信端末１０Ｂに対して発信要求の切断を促す（Ｓ１２２））。そして、接続要求取消し部５８は、発信要求に対する切断要求を受け付けた移動通信端末１０Ｂから送受信部５１を介して開放要求信号を受信すると（Ｓ１２３）、移動通信端末１０Ｂからの発信要求を開放する処理を行う。接続要求取消し部５８は、この開放処理が終了したら、開放要求信号への応答である開放応答信号を送受信部５１から移動通信端末１０Ｂに送信させる（Ｓ１２４）。
【００５７】
また、接続要求取消し部５８は、移動通信端末１０Ｂへの切断要求信号の送信に併せて、第２移動通信交換装置５０から送信した接続要求信号Ｂによる接続要求の開放を要求する開放要求信号を、送受信部５１から第１移動通信交換装置４０へ送信させる（Ｓ１２５）。開放要求信号を受信した第１移動通信交換装置４０では、接続要求取消し部４８が接続要求信号Ｂによる接続要求の開放処理を行い、開放処理の終了後、接続要求取消し部４８が開放応答信号を送受信部４１を介して、第２移動通信交換装置５０へ送信する（Ｓ１２６）。これらステップＳ１２２〜ステップＳ１２６によって接続要求取消しステップが構成され、第２移動通信交換装置５０からの接続要求が取り消される。
【００５８】
このように接続要求取消し部４８，５８により、第２移動通信交換装置５０からの接続要求が取り消されると、接続要求が取り消された側の接続切断処理部５２は、優先判定された接続要求に基づいた着信要求信号を移動通信端末１０Ｂへ送信させる（Ｓ１２７）。このように、接続要求信号Ａに係る接続の処理は、接続要求信号Ｂに係る処理を行っている間は行うことができないため、当該接続要求信号Ｂに係る処理が終了した後に行われる。そして、着信要求信号を受信した移動通信端末１０Ｂからの着信要求受付応答信号を接続切断処理部５２が受信すると（Ｓ１２８）、接続切断処理部５２は、接続要求信号Ａに対する接続要求応答信号と接続準備完了通知信号とを第１移動通信交換装置４０に送信する（Ｓ１２９，Ｓ１３０）。接続準備完了通知が送信されると、第１移動通信交換装置４０と第２移動通信交換装置５０との間で通信が接続され、移動通信端末１０Ａと移動通信端末１０Ｂとの間で通話が再開される（Ｓ１３１）。
【００５９】
本実施形態によれば、接続要求信号Ａによる接続要求と接続要求信号Ｂによる接続要求とのうち優先される接続要求を示す優先接続情報を取得する。続いて、接続要求信号Ａ及び接続要求信号Ｂに係る両通信端末が同一であれば、取得された優先接続情報に基づいて、接続要求信号Ａによる接続要求を接続要求信号Ｂによる接続要求に対して優先させるか否かを判定する。そして、接続要求信号Ａによる接続要求を接続要求信号Ｂによる接続要求に対して優先させないと判定した場合に、接続要求信号Ａによる接続要求の取消し処理を行うようになっている。このように、同一の移動通信端末１０間での発信に係る接続要求信号Ａ及び接続要求信号Ｂのうち接続要求信号Ａによる接続要求の取消し処理を行うことにより、他方の接続要求信号Ｂによる接続要求に基づく通信を確立させて、同一の移動通信端末１０間での略同時発信による通信を確立させることができる。この結果、同一の移動通信端末１０間で略同時に双方から発信した場合であっても、保留等されずに、両移動通信端末１０間での通信を確立させることができ、通話を行うことができる。
【００６０】
また、本実施形態では、送受信時間を判定する際の所定の時間は、接続要求信号Ａと接続要求信号Ｂとのうち先に送受信された最先接続要求信号の送受信時から該最先接続要求信号に基づく呼が呼出中の状態に遷移するまでの時間である。これにより、接続要求の取消し処理を行う条件を限定させて、より適切に両移動通信端末１０間の接続を円滑に行わせることができる。
【００６１】
また、本実施形態では、優先接続情報取得手段が、接続要求信号Ａによる接続要求の優先度を示す乱数Ａを設定することで取得する乱数設定部４３と、接続要求信号Ｂによる接続要求の優先度を示す乱数Ｂを他の移動通信交換装置５０から受信することで取得する送受信部４１とから構成され、優先接続判定部４７は、乱数Ａと乱数Ｂの優先度との大小を比較して、接続要求信号Ａによる接続要求を接続要求信号Ｂによる接続要求に対して優先させるか否かを判定する。これにより、優先させる接続要求を確実に判定できる。
[第２実施形態]
【００６２】
次に、本発明の第２実施形態について説明する。本実施形態は、移動通信交換装置４０，５０が移動通信端末１０から発信要求信号を受信する度に乱数を設定していた乱数設定部４３，５３に換えて、電波環境が悪化して呼切断された側の移動通信端末１０を制御していた移動通信交換装置で呼切断を検出した場合に呼切断フラグを設定する呼切断フラグ設定部（優先接続情報取得手段）４３ｆ，５３ｆを備えた点、及び、優先接続判定部４７ｆ，５７ｆが両接続要求信号Ａ，Ｂのうち優先させる接続要求を呼切断フラグの有無に基づいて判定する点が第１実施形態と異なっている。以下、第１実施形態と相違する点を中心に説明する。
【００６３】
最初に、本実施形態にかかる第１移動通信交換装置４０ｆについて説明する。第１移動通信交換装置４０ｆは、第１実施形態と同様に、物理的には、ＣＰＵ４０ａ、ＲＯＭ４０ｂ、ＲＡＭ４０ｃ、通信モジュール４０ｄ、補助記憶装置４０ｅなどを含む通常のコンピュータシステムとして構成される。そして、機能的には、第１移動通信交換装置４０ｆは、乱数設定部４３に換えて、呼切断フラグ設定部４３ｆを備え、その他の機能構成は第１実施形態と同様である。また、第２移動通信交換装置５０ｆは、第１移動通信交換装置４０ｆと略同様の構成を有する。
【００６４】
呼切断フラグ設定部４３ｆは、両移動通信端末１０Ａ，１０Ｂ間での通話が一方の移動通信端末１０Ａ側で切断されたことを示す呼切断フラグを設定するものである。第１移動通信交換装置４０ｆが制御している移動通信端末１０Ａと他の移動通信端末１０Ｂとの間で行われていた通信が移動通信端末１０Ａ側の電波環境の悪化等により呼切断されると、接続切断処理部４２が呼切断を検出して、呼切断が発生したことを示す呼切断発生情報を生成する。接続切断処理部４２は、生成した呼切断発生情報を、呼切断フラグ設定部４３ｆへ出力する。この呼切断発生情報には、呼切断された通信を行っていた両移動通信端末１０Ａ，１０Ｂの電話番号といった端末特定情報や呼切断された側の端末を示す呼切断端末特定情報が含まれる。
【００６５】
呼切断発生情報が入力された呼切断フラグ設定部４３ｆは、この呼切断発生情報を接続要求信号生成部４４ｆと優先接続判定部４７ｆに通知すると共に呼切断発生情報を第１移動通信交換装置４０ｆのＲＡＭ４０ｃ等に記憶させることで、両移動通信端末１０Ａ，１０Ｂについての呼切断フラグを設定する。呼切断発生情報は、優先される接続要求を示す優先接続情報となる。接続要求信号生成部４４ｆは、移動通信端末１０Ａから発信要求信号Ａを受信すると、通知された呼切断発生情報を照会して、呼切断フラグ設定部４３ｆで、両移動通信端末１０Ａ，１０Ｂ間についての呼切断フラグが設定されているかどうかを判定する。呼切断フラグが設定されているかどうかの判定は、記憶した呼切断発生情報に含まれる端末特定情報や呼切断端末特定情報に、移動通信端末１０Ａ，１０Ｂの通信が呼切断されたことを示す情報が含まれているか否かを判断することによって行なわれる。接続要求信号発生部４４ｆは、移動通信端末１０Ａ，１０Ｂの通信が呼切断されたことを示す情報が含まれており、両移動通信端末１０Ａ，１０Ｂについての呼切断フラグが設定されていたと判定した場合には、第１実施形態における乱数Ａの付与に換えて、接続要求信号Ａに発信要求元の移動通信端末１０Ａで呼切断されたことを示す呼切断フラグ情報を付与し、呼切断フラグ情報が付与された接続要求信号Ａを送受信部４１ｆを介して第２移動通信交換装置５０ｆへ送信する。一方、呼切断フラグ設定部４３ｆで呼切断フラグが設定されていない場合には、接続要求信号Ａに呼切断フラグ情報を付与せず、呼切断フラグ情報が付与されていない接続要求信号Ａを第２移動通信交換装置５０ｆへ送信する。
【００６６】
第２移動通信交換装置５０ｆにおいても、第１移動通信交換装置４０ｆと同様の呼切断フラグ設定部５３ｆが備えられ、移動通信端末１０Ｂ側で呼切断がされた場合には、接続要求信号生成部５４ｆは、呼切断フラグ情報が付与された接続要求信号Ｂを第１移動通信交換装置４０ｆへ送信するようになっている。なお、呼切断フラグ設定部４３ｆ，５３ｆは、付与された接続要求信号Ａ又はＢに基づく通信が接続された場合に通知した各呼切断発生情報を消去することで、接続された移動通信端末1０Ａ，１０Ｂについての呼切断フラグの設定を取消すようになっている。また、呼切断は、通常、電波環境が悪化した一方の移動通信端末側で発生するため、呼切断フラグ情報が共に付与された接続要求信号Ａと接続要求信号Ｂとが所定の時間内に同時に送受信されることはない。
【００６７】
優先接続判定部４７ｆは、第１実施形態と同様に、同一端末判定部４６で接続要求信号Ａに係る両移動通信端末と接続要求信号Ｂに係る両移動通信端末とが同一であると判定された場合、呼切断フラグ設定部４３ｆからの呼切断発生情報に基づいて、接続要求信号Ａによる接続要求を、接続要求信号Ｂによる接続要求に対して優先させるか否かを判定するものである。優先接続判定部４７ｆは、同一端末判定部４６で、接続要求信号Ａ，Ｂに係る両移動通信端末が同一であると判定されると、呼切断フラグ設定部４３ｆから通知される呼切断発生情報又は接続要求信号Ｂに付加された呼切断発生情報を参照し、呼切断側の移動通信端末（例えば移動通信端末１０Ａ）を特定する。そして、優先接続判定部４７ｆは、呼切断側の移動通信端末からの発信要求に基づく接続要求信号、つまり、呼切断発生情報が付与された接続要求信号による接続要求を、他方の呼切断発生情報が付与されていない接続要求信号による接続要求に対して優先させるといった判定をする。優先接続判定部４７による優先判定処理後の各機能は、第１実施形態と同様である。
【００６８】
続いて、通信システム１により行われる動作（通信制御方法）について、図６を参照しながら説明する。図６は、通信システム１の動作を示すシーケンス図である。なお、本実施形態では、移動通信端末１０Ａ，１０Ｂ間で通話中に移動通信端末１０Ａ側で呼切断が発生した場合を例にとって説明するが、移動通信端末Ｂ側で呼切断が発生した場合には、第１、第２移動通信交換装置４０ｆ，５０ｆの動作が入れ替わって同様の動作がなされる。
【００６９】
まず、移動通信端末１０Ａ、１０Ｂ間で通話中（Ｓ１０１）に、移動通信端末１０Ａ側の電波状態が悪化するようなことがあると、移動通信端末１０Ａが呼切断される（Ｓ１０２）。第１移動通信交換装置４０ｆの接続切断処理部４２は、この呼切断を検出すると、第２移動通信交換装置５０ｆとの間の通信接続を切断する（Ｓ１０３）と共に、呼切断が発生したことを示す呼切断発生情報を生成する。そして、接続切断処理部４２は、生成した呼切断発生情報を、呼切断フラグ設定部４３ｆへ出力する。呼切断発生情報が入力された呼切断フラグ設定部４３ｆは、この呼切断発生情報を接続要求信号生成部４４ｆと優先接続判定部４７ｆに通知することで、両移動通信端末１０Ａ，１０Ｂについての呼切断フラグを設定する（Ｓ１４０）。その後、第１実施形態と同様に、各移動通信端末１０Ａ，１０Ｂからの発信要求信号の送受信や在圏情報の取得処理等（Ｓ１０４、Ｓ１０６、Ｓ１０７、Ｓ１０９）が行われる。
【００７０】
第１移動通信交換装置４０ｆで発信先の移動通信端末１０Ｂの在圏情報が取得されると、接続要求信号生成部４４ｆは、呼切断発生情報が呼切断フラグ設定部４３ｆから通知されていれば、発信要求信号Ａに基づいて、呼切断フラグ情報が付与された接続要求信号Ａを生成し（接続要求信号生成ステップ）、送受信部４１を介して、接続要求信号Ａを第２移動通信交換装置５０へ送信する（接続要求信号送信ステップ、Ｓ１１０）。一方、第２移動通信交換装置５０ｆでも、同様に、移動通信端末１０Ｂからの発信要求信号Ｂに基づいて接続要求信号Ｂが生成され、送受信部５１により、接続要求信号Ｂが第１移動通信交換装置４０へ送信される。なお、接続要求信号Ｂには、呼切断フラグ情報が付与されていない。その後、第１実施形態と同様に、送受信時間の判定や同一端末の判定（Ｓ１１２〜Ｓ１１５、Ｓ１１７）が行われる。なお、ステップＳ１４０の呼切断フラグの設定ステップ又はステップＳ１１１の呼切断フラグを含む接続要求信号Ｂの受信ステップにより、第１移動通信交換装置４０ｆにおいて、接続要求信号Ａによる接続要求と接続要求信号Ｂによる接続要求とのうち優先される接続要求を示す優先接続情報が取得される優先接続情報取得ステップが構成される。
【００７１】
続いて、同一端末判定部４６にて両移動通信端末が同一と判定された場合には、接続要求信号に付与されている呼切断フラグから、優先接続判定部４７ｆは、接続要求信号Ａによる接続要求を、接続要求信号Ｂによる接続要求に対して優先させるか否かを判定する（優先接続判定ステップ、Ｓ１４１）。第２移動通信交換装置５０ｆの優先接続判定部５７ｆでも、同様の判定を行う（Ｓ１４２）。なお、本動作説明では、上記したように、移動通信端末１０Ａ側で呼切断が発生したため、呼切断フラグ設定部１４０からの呼切断発生情報に基づいて、接続要求信号Ａが優先と判定され、第２移動通信交換装置５０ｆの優先接続判定部５７ｆでも同様に呼切断フラグ情報が付与された接続要求信号Ａが優先と判定される。なお、優先接続判定部４７ｆ，５７ｆでの接続要求の優先判定後の動作は、第１実施形態におけるステップＳ１２０〜Ｓ１３１（図５参照）と同様である。
【００７２】
本実施形態によれば、呼切断フラグ設定部４３ｆ，５３ｆは、同一端末判定部４６，５６で同一と判定された移動通信端末１０Ａ，１０Ｂ間での通話が一方の移動通信端末１０Ａ側で切断されたことを示す呼切断フラグを設定することで優先接続情報を取得し、優先接続判定部４７ｆ，５７ｆは、例えば、通話を切断した移動通信端末Ａ側を示す呼切断フラグに基づいて、接続要求信号Ａによる接続要求を接続要求信号Ｂによる接続要求に対して優先させるか否かを判定している。このように呼切断フラグを用いて判定するため、優先させる接続要求を確実に判定できる。なお、呼切断フラグ情報を、呼切断された移動通信端末１０Ａ又は１０Ｂで生成して、移動通信交換装置４０，５０への発信要求信号に含ませるようにしてもよい。この場合、移動通信交換装置４０ｆ，５０ｆは、呼切断された移動通信端末１０Ａ又は１０Ｂからの発信要求信号を受信する。そして、移動通信交換装置４０ｆ，５０ｆは、その発信要求信号に含まれる呼切断フラグ情報を抽出し、抽出した呼切断フラグ情報に基づいて上記と同様な優先判定を行い、いずれか一方の接続要求に基づく通信を接続させる。また、上記の実施形態では、呼切断フラグが設定された側の接続要求信号を優先させるようにしているが、これに限定されるわけではなく、呼切断フラグが設定されていない側の接続要求信号を優先させるようにしてもよい。
［第３実施形態］
【００７３】
次に、本発明の第３実施形態について説明する。本実施形態は、優先接続情報を各移動通信交換装置４０，５０等でそれぞれ取得及び管理する第１、第２実施形態と異なり、すべての優先接続情報を発信優先権として一括管理する発信優先権管理装置を用いている点で相違する。
【００７４】
まず、本実施形態にかかる通信システム１ａの全体構成について、図７を参照しながら説明する。図７に示すように、通信システム１ａは、移動通信端末１０間での通信を確立させて通話を行えるようにするための通信システムである。この通信システム１ａは、第１加入者情報管理装置２０、第２加入者情報管理装置３０、発信優先権管理装置６０、第１移動通信交換装置７０、第２移動通信交換装置８０及び複数の他の移動通信交換装置（不図示）を含んで構成される。なお、通信システム１ａが別の加入者情報管理装置を更に含んで構成されていてもよいことは第１実施形態と同様である。この通信システム１ａによって、移動通信端末１０Ａ，１０Ｂ間で通話を行おうとすると、両移動通信端末１０Ａ，１０Ｂを制御する各移動通信交換装置７０，８０は、発信優先権管理装置６０を一元管理装置とした発信要求信号の送受信を行って、通信を接続させるようになっている。
【００７５】
続いて、発信優先権管理装置６０について説明する。図２に示すように、発信優先権管理装置６０は、物理的には、ＣＰＵ６０ａ、ＲＯＭ６０ｂおよびＲＡＭ６０ｃ等の主記憶装置、各移動通信交換装置７０，８０等との間でデータの送受信を行うためのネットワークカード等の通信モジュール６０ｄ、ハードディスク等の補助記憶装置６０ｅなどを含む通常のコンピュータシステムとして構成される。後述する発信優先権管理装置６０の各機能は、ＣＰＵ６０ａ、ＲＯＭ６０ｂ、ＲＡＭ６０ｃ等のハードウェア上に所定のコンピュータソフトウェアを読み込ませることにより、ＣＰＵ６０ａの制御の元で通信モジュール６０ｄを動作させると共に、主記憶装置６０ｂ，６０ｃや補助記憶装置６０ｅにおけるデータの読み出しおよび書き込みを行うことで実現される。
【００７６】
図８は、発信優先権管理装置６０の構成概要図である。図８に示すように、発信優先権管理装置６０は、機能的には、発信優先権管理部６１、送受信部（発信優先権要求信号受信手段、優先応答信号送信手段、発信規制応答信号送信手段）６２、発信優先権付与判定部（発信優先権付与判定手段）６３、優先応答信号生成部（優先権付与手段、優先応答信号生成手段）６４、及び発信規制応答信号生成部（発信規制応答信号生成手段）６５を備えて構成される。
【００７７】
発信優先権管理部６１は、２つの移動通信端末の電話番号で特定される同一発着信グループ毎に一の発信優先権を付与したか否かの情報を同一発着信グループ毎に管理するものである。この発信優先権とは、同一の移動通信端末１０Ａ，１０Ｂ間で所定の時間内に互いに発信が行われた場合、各発信に基づく接続要求のうち優先させる一方の接続要求に対して与えられる優先権である。このような所定の時間は、例えば、同じ発着信グループ内で優先させる一方の接続要求のための発信優先権要求信号を送受信部６２が受信した後、その発信優先権要求信号に基づく通話が終話するまでの時間である。
【００７８】
発信優先権管理部６１は、この発信優先権の付与済み情報と各発信優先権に係る両移動通信端末１０Ａ，１０Ｂの端末特定情報とを対応させた情報を照会可能な状態で保持する。そして、発信優先権管理部６１は、後述する発信優先権付与判定部６３から端末特定情報等で特定された発着信グループについての発信優先権の付与状況の照会が行われると、その特定の発着信グループについての発信優先権の付与状況についての情報を発信優先権付与判定部６３に出力する。なお、発信優先権管理部６１は、管理している発信優先権に係る両移動通信端末１０Ａ，１０Ｂ間で通信が行われて、その通信にかかる終話処理を検出し（例えば、移動通信交換装置７０又は８０の一方からの終話通知信号を受けて検出）、その発信優先権の付与済み情報を消去する。このように終話後にその発信優先権を消去することで、不要な電話番号がプロファイルに残存せず、呼切断の判定が複雑になることを避けられたり、次回、同じ発着信グループで通信が行われた場合に、通常の接続処理を支障なく行うことができる。つまり、発信優先権管理部６１は、発信優先権が付与されている状態を開放する処理も行う。
【００７９】
送受信部６２は、通信モジュール６０ｄを動作させて各種の信号を送受信するものである。例えば、送受信部６２は、第１移動通信交換装置７０から、発信優先権要求信号（例えば発信優先権要求信号Ａ、図１２参照）を受信する。この発信優先権要求信号は、同じ発着信グループ内で複数の接続要求が所定の時間内にあった場合、それら複数の接続要求のうち優先させる一の接続要求を示す発信優先権を要求するための信号である。発信優先権要求信号Ａは、移動通信端末１０Ｂから移動通信端末１０Ａへの発信要求による接続に対して、移動通信端末１０Ａから移動通信端末１０Ｂへの発信要求による接続を優先させる発信優先権を要求する信号であり、発信元の移動通信端末１０Ａの電話番号と発信先の移動通信端末１０Ｂの電話番号といった端末特定情報を含んでいる。また、送受信部６２は、第２移動通信交換装置８０等からも同様に発信優先権要求信号（例えば発信優先権要求信号Ｂ、図１２参照）を受信する。送受信部６２は、受信した発信優先権要求信号Ａ，Ｂを発信優先権付与判定部６３へ出力する。なお、送受信部６２が送信する信号については後述する。
【００８０】
発信優先権付与判定部６３は、送受信部６２で受信した発信優先権要求信号Ａ又はＢに含まれる端末特定情報で特定される両移動通信端末１０Ａ，１０Ｂと同一の移動通信端末間の発着信に係る接続要求に対して所定の時間内に発信優先権を付与したか否かを判定するものである。発信優先権付与判定部６３は、送受信部６２から発信優先権要求信号Ａ又はＢが入力されると、入力された発信優先権要求信号Ａ又はＢの端末特定情報で特定される両移動通信端末１０Ａ，１０Ｂからなる発着信グループについて、発信優先権の付与状況を発信優先権管理部６１に対して照会する。照会の結果、同一の発着信グループに対して発信優先権が付与されていないとの情報が入力されると、発信優先権付与判定部６３は、発信優先権要求信号Ａ又はＢに含まれる端末特定情報で特定される両移動通信端末１０Ａ，１０Ｂと同一の移動通信端末間の発着信に係る接続要求に対して発信優先権を付与していないと判定する。そして、発信優先権付与判定部６３は、発信優先権を付与していないと判定すると、発信優先権の未付与情報を優先応答信号生成部６４に出力する。
【００８１】
一方、発信優先権付与判定部６３は、照会の結果、同一の発着信グループに対して発信優先権が付与済みとの情報が入力されると、発信優先権要求信号Ａ又はＢに含まれる端末特定情報で特定される両移動通信端末１０Ａ，１０Ｂと同一の移動通信端末間の発着信に係る接続要求に対して発信優先権を付与済みと判定する。そして、発信優先権付与判定部６３は、発信優先権の付与済み情報を発信規制応答信号生成部６５に出力する。つまり、発信優先権付与判定部６３は、一方の移動通信端末１０Ａ又は１０Ｂで呼切断された後、先に受信された発信優先権要求信号Ａ又はＢに対して、発信優先権がまだ付与されていないと判定するものである。
【００８２】
優先応答信号生成部６４は、発信優先権付与判定部６３により所定の時間内に発信優先権を付与していないと判定された場合、発信優先権要求信号Ａ又はＢに対する発信優先権を付与した発信優先権応答信号を生成するものである。優先応答信号生成部６４は、発信優先権付与判定部６３から発信優先権の未付与情報が入力されると、対象となる発信優先権要求信号Ａ又はＢの端末特定情報で特定される発着信グループに対する発信優先権を発生付与させて、この発信優先権を付与した発信優先権応答信号を生成する。そして、優先応答信号生成部６４は、対象の発信優先権要求信号Ａ又はＢの送信元となる第１移動通信交換装置７０又は第２移動通信交換装置８０に対して、送受信部６２を介して、発信優先権応答信号を送信する。
【００８３】
優先応答信号生成部６４は、発信優先権を新たに発生させた場合には、発信優先権に係る両移動通信端末の端末特定情報とその両移動通信端末に対して新たに発信優先権を付与したことを示す新規付与情報とを、発信優先権管理部６１に出力する。これにより、発信優先権管理部６１で管理する発信優先権の情報が更新され、同一の発着信グループにかかる後続の発信優先権要求信号による発信を、後述する発信規制応答信号生成部６５で生成される発信規制応答信号に基づいて規制させることができる。なお、発信優先権応答信号を生成せずに、発信優先権の発生付与のみを行って発信優先権管理部６１で管理する発信優先権の情報を更新するようにしてもよい。
【００８４】
発信規制応答信号生成部６５は、発信優先権付与判定部６３により所定の時間内に発信優先権を付与したと判定された場合、発信優先権要求信号に対して発信規制することを示した発信規制応答信号を生成するものである。発信規制応答信号生成部６５は、発信優先権付与判定部６３から発信優先権の付与済み情報が入力されると、対象となる発信優先権要求信号Ａ又はＢの端末特定情報で特定される発着信グループに対する発信を規制させる発信規制応答信号を生成する。発信規制応答信号生成部６５は、対象の発信優先権要求信号Ａ又はＢの送信元となる第１移動通信交換装置７０又は第２移動通信交換装置８０に対して、送受信部６２を介して、発信規制応答信号を送信する。なお、発信規制応答信号を受信した移動通信交換装置７０，８０は、受信中の発信要求信号Ａ又はＢによる接続要求を切断する処理を行う。
【００８５】
続いて、第１移動通信交換装置７０について説明する。第１移動通信交換装置７０は、第１実施形態の第１移動通信交換装置４０等と同様のハードウェア構成を備え、通信エリアＡに在圏する移動通信端末１０Ａの通信を制御する。この第１移動通信交換装置７０は、図９に示すように、機能的には、送受信部７１、接続切断処理部７２、切断有無判定部７３、及び発信優先権要求信号生成部７４を備えて構成される。なお、第２移動通信交換装置８０は、送受信部７１〜発信優先権要求信号生成部７４と同様の、送受信部８１、接続切断処理部８２、切断有無判定部８３、及び発信優先権要求信号生成部８４を含んで構成される。
【００８６】
送受信部７１は、通信モジュールを動作させて各種の信号を送受信するものである。例えば、送受信部７１は、第１移動通信交換装置が制御する移動通信端末１０Ａからの発信要求信号Ａを受信する。また、送受信部７１は、上記した発信優先権要求信号Ａを発信優先権管理装置６０に送信したり、発信優先権管理装置６０から発信優先権応答信号や発信規制応答信号を受信したりする。そして、送受信部７１は、発信優先権応答信号や発信規制応答信号を受信すると、これら信号を接続切断処理部７２に出力する。
【００８７】
接続切断処理部７２は、第１実施形態の接続切断処理部４２等における在圏情報の取得処理等の一般的な通信機能と略同様の機能を備え、移動通信端末１０Ａ，１０Ｂ間の通信を接続又は切断させたりする処理を行うものである。そして、接続切断処理部７２は、送受信部７１から発信優先権応答信号が入力されると、発信先の移動通信端末１０Ｂの在圏情報の取得処理やその後の一般的な接続処理を行って、第１移動通信交換装置７０と第２移動通信交換装置８０とを接続させ、両移動通信端末１０Ａ，１０Ｂ間で通話を行えるようにする。
【００８８】
接続切断処理部７２は、送受信部７１から発信規制応答信号が入力されると、発信元の移動通信端末１０Ａからの発信要求を切断する処理（例えば第１実施形態のステップＳ１２２〜Ｓ１２４の処理に相当）を移動通信端末１０Ａに対して行って双方発信の状態を解消する。接続切断処理部７２は、この解消処理の際、発信優先権を取得できなかった理由（例えば「発信先の移動通信端末１０Ｂからの発信要求が発信優先権を取得したので移動通信端末１０Ｂからすぐに電話がかかってくるため」）を発信者に通知すると共に、数秒間、移動通信端末１０Ａからの発信操作を規制する。なお、接続切断処理部７２が、上記の理由等を音声情報として移動通信端末１０Ａに送信し、移動通信端末１０Ａで再生できるようにしてもよい。また、接続切断処理部７２は、双方発信状態の解消後、発信優先権応答信号が入力された他の移動通信交換装置からの接続要求信号が第１移動通信交換装置７０に送信されると、その接続要求信号に対応した接続処理を行う。
【００８９】
接続切断処理部７２は、移動通信端末１０Ａ，１０Ｂ間での通話中に第１移動通信交換装置７０が制御する移動通信端末１０Ａ側の電波環境が悪化等して移動通信端末１０Ａの呼切断が自動的に行われると、この呼切断を検出して第１移動通信交換装置７０と第２移動通信交換装置８０との通信接続を切断する。また、接続切断処理部７２は、上記の呼切断を検出した場合には、両移動通信端末１０Ａ，１０Ｂの端末特定情報と呼切断されたことを示す情報とを含む呼切断発生情報を生成して、移動通信端末１０Ａのプロファイル上で管理する。これにより、切断状態が保持される。このようにプロファイル上で管理される呼切断発生情報としては、例えば、図１０に示すように、第１移動通信交換装置７０で制御していた移動通信端末１０の電話番号と他の移動通信交換装置で制御していた相手先の移動通信端末１０の電話番号とが対応したデータがある。接続切断処理部７２は、この呼切断発生情報を切断有無判定部７３に出力すると共に、他の移動通信交換装置が第２移動通信交換装置８０である場合には、第２移動通信交換装置８０への切断要求信号に呼切断発生情報を含ませて送信する。呼切断発生情報を含む切断要求信号を受信した第２移動通信交換装置８０は、呼切断発生情報を抽出して、第１移動通信交換装置７０と同様に呼切断情報を保持する。なお、上記呼切断を検出していなかった場合、呼切断発生情報における相手の電話番号を「無」とする（図１０のテーブルの１行目、３行目のデータ参照）。管理プロファイル上、相手先電話番号が「無」の場合には、呼切断情報を含む切断要求信号の送信は行えない。
【００９０】
切断有無判定部７３は、移動通信端末Ａから発信要求信号Ａを受信すると、発信要求信号Ａに含まれる端末特定情報で特定される両移動通信端末１０Ａ，１０Ｂ間の通話が過去に呼切断されたか否かその有無を判定するものである。切断有無判定部７３は、発信元の移動通信端末１０Ａから発信要求信号Ａを送受信部７１を介して受信すると、発信要求信号Ａに含まれる端末特定情報と接続切断処理部７２から入力された呼切断発生情報とを比較し、発信要求信号Ａにかかる移動通信端末１０Ａ，１０Ｂ間の通話が過去の所定時間内に呼切断されたものであるか否かを判定する。切断有無判定部７３は、判定の結果、発信要求信号Ａが過去に呼切断された発着信グループに係るものである場合には、呼切断有りとの情報を発信優先権要求信号生成部７４に出力する。一方、判定の結果、発信要求信号Ａが過去に呼切断された発着信グループにかかるものでない場合には、呼切断なしとの情報を接続切断処理部７２に出力する。呼切断なしとの情報が入力された接続切断処理部７２は、発信要求信号Ａに基づいて通常の接続処理を行う。
【００９１】
発信優先権要求信号生成部７４は、切断有無判定部７３から呼切断ありとの情報が入力されると、発信要求信号Ａに対する発信優先権要求信号Ａを生成するものである。発信優先権要求信号生成部７４は、発信優先権要求信号Ａを生成すると、送受信部７１を介して発信優先権要求信号Ａを、発信優先権管理装置６０に送信する。なお、発信優先権要求信号Ａに対する応答信号である発信優先権応答信号等は上記のように送受信部７１で受信される。
【００９２】
続いて、通信システム１ａにより行われる動作（通信制御方法）について、図１１及び図１２を参照しながら説明する。図１１及び図１２は、通信システム１ａの動作を示すシーケンス図である。なお、本実施形態では、移動通信端末１０Ａ，１０Ｂ間で通話中に移動通信端末１０Ａ側で呼切断が発生した場合を例にとって説明するが、移動通信端末Ｂ側で呼切断が発生した場合には、第１、第２移動通信交換装置７０，８０の動作が入れ替わり、発信優先権管理装置６０で同様の動作がなされる。
【００９３】
まず、移動通信端末１０Ａ、１０Ｂ間で通話中（Ｓ２０１）に、移動通信端末１０Ａ側の電波状態が悪化するようなことがあると、移動通信端末１０Ａが呼切断される（Ｓ２０２）。この呼切断が検出されると、第１移動通信交換装置７０の接続切断処理部７２により、呼切断が発生したことを示す呼切断発生情報が生成される。そして、接続切断処理部７２により、呼切断発生情報が切断有無判定部７３に出力され、呼切断状態が保持される（Ｓ２０３）。また、接続切断処理部７２により、呼切断発生情報を含む切断要求信号が第２移動通信交換装置８０に送信され（Ｓ２０４）、第２移動通信交換装置８０側でも呼切断状態が保持される（Ｓ２０５）。その後、接続切断処理部７２により、第２移動通信交換装置８０との間の通信接続が切断される（Ｓ２０６）。
【００９４】
続いて、第１移動通信交換装置７０では、移動通信端末１０Ａからの発信要求信号Ａが送受信部７１により受信されると（Ｓ２０７）、切断有無判定部７３により、呼切断発生情報に基づいて、発信要求信号Ａにかかる両移動通信端末１０Ａ，１０Ｂ間の通信が電波環境の悪化等で呼切断されたものであるか否かが判定される（Ｓ２０８）。判定の結果、呼切断されたものでないと切断有無判定部７３により判定された場合には、ステップＳ２０９に進んで通常の接続処理を行い、呼切断されたものであると判定された場合には、ステップＳ２１０に進む。
【００９５】
続いて、発信要求信号Ａにかかる両移動通信端末１０Ａ，１０Ｂ間の通信が呼切断されたものであると判定された場合、発信優先権要求信号生成部７４により、発信要求信号Ａに対する発信優先権要求信号Ａが生成される。そして、発信優先権要求信号生成部７４により、生成された発信優先権要求信号Ａが発信優先権管理装置６０へ送信される（Ｓ２１１）。
【００９６】
第１移動通信交換装置７０から発信優先権要求信号Ａが送信されると、発信優先権管理装置６０は、送受信部６２を介して、発信優先権要求信号Ａを受信する（発信優先権要求信号受信ステップ、Ｓ２１１）。そして、送受信部６２から発信優先権要求信号Ａが入力されると、発信優先権付与判定部６３は、入力された発信優先権要求信号Ａの端末特定情報で特定される両移動通信端末１０Ａ，１０Ｂからなる発着信グループについて、発信優先権の付与状況を発信優先権管理部６１に対して照会する。照会の結果、同一の発着信グループに対して発信優先権が付与されていないとの情報が入力されると、発信優先権付与判定部６３は、発信優先権要求信号Ａによる発着信に係る両移動通信端末１０Ａ，１０Ｂと同一の移動通信端末間の発着信にかかる接続要求に対して発信優先権を付与していないと判定する（発信優先権付与判定ステップ、Ｓ２１２）。そして、発信優先権付与判定部６３は、発信優先権を付与していないと判定すると、発信優先権の未付与情報を優先応答信号生成部６４に出力して、ステップＳ２１３に進む。
【００９７】
一方、照会の結果、同一の発着信グループに対して発信優先権が付与済みとの情報が入力されると、発信優先権付与判定部６３は、発信優先権要求信号Ａによる発着信に係る両移動通信端末１０Ａ，１０Ｂと同一の移動通信端末間の発着信にかかる接続要求に対して発信優先権を付与済みと判定する。そして、発信優先権付与判定部６３は、発信優先権の付与済み情報を発信規制応答信号生成部６５に出力し、ステップＳ２１４に進んで、発信要求信号Ａに対する発信規制処理（後述するステップＳ２２４，Ｓ２２５に相当）を行う。
【００９８】
続いて、ステップＳ２１３に進んで、発信優先権要求信号Ａに対して優先権を与える場合について説明する。ステップＳ２１３では、優先応答信号生成部６４は、発信優先権付与判定部６３から発信優先権の未付与情報が入力されると、対象となる発信優先権要求信号Ａの端末特定情報で特定される発着信グループに対する発信優先権を発生させて、この発信優先権を付与した発信優先権応答信号を生成する（優先権付与ステップ）。そして、優先応答信号生成部６４は、第１移動通信交換装置７０に対して、発信優先権応答信号を送信する（Ｓ２１５）。また、優先応答信号生成部６４は、発信優先権に係る両移動通信端末１０Ａ，１０Ｂの端末特定情報とその両移動通信端末１０Ａ，１０Ｂに対して新たに発信優先権を付与したことを示す新規付与情報とを、発信優先権管理部６１に出力して記憶する。なお、発信優先権応答信号を受信した第１移動通信交換装置７０側では、ステップＳ２１５における発信優先権応答信号を受信し、接続切断処理部７２により、移動通信端末１０Ｂの在圏情報が取得される（Ｓ２１６）。
【００９９】
一方、第２移動通信交換装置８０でも、移動通信端末１０Ｂからの発信要求信号Ｂが、第１移動通信交換装置７０と略同時に受信される（Ｓ２１７）。移動通信端末１０Ｂからの発信要求信号Ｂが受信されると、切断有無判定部８３により、呼切断発生情報に基づいて、発信要求信号Ｂにかかる両移動通信端末１０Ａ，１０Ｂ間の通信が電波環境の悪化等で呼切断されたものであるか否かが判定される（Ｓ２１８）。判定の結果、呼切断されたものでないと切断有無判定部８３により判定された場合には、ステップＳ２１９に進んで通常の接続処理が行われ、呼切断されたものであると判定された場合には、ステップＳ２２０に進む。
【０１００】
続いて、発信要求信号Ｂにかかる両移動通信端末１０Ａ，１０Ｂ間の通信が呼切断されたものであると判定された場合、発信優先権要求信号生成部８４により、発信要求信号Ｂに対する発信優先権要求信号Ｂが生成される（Ｓ２２０）。そして、発信優先権要求信号生成部８４により、生成した発信優先権要求信号Ｂが発信優先権管理装置６０へ送信される（Ｓ２２１）。その後、ステップＳ２１２と同様の判定が行われる（Ｓ２２２）。ステップＳ２２２の判定では、発信優先権要求信号Ｂにかかる同一の発着信グループ（つまり移動通信端末１０Ａ，１０Ｂ）に対して既にステップＳ２１３で発信優先権が付与済みであり、発信優先権管理部６１から付与済みとの情報が入力されると、発信優先権付与判定部６３は、発信優先権の付与済み情報を発信規制応答信号生成部６５に出力する。
【０１０１】
一方、ステップＳ２２２で発信優先権が付与済みでない場合には、ステップＳ２２３に進んで発信優先処理（上述したステップＳ２１５，Ｓ２１６及び後述するＳ２２６に相当）が行われる。発信優先権の付与済み情報が入力されると、発信規制応答信号生成部６５は、発信要求信号Ｂに対する発信規制応答信号を生成し（発信規制応答信号生成ステップ）、第２移動通信交換装置８０に送信する（発信規制応答信号送信ステップ、Ｓ２２４）。発信規制応答信号を受信した第２移動通信交換装置８０では、発信要求信号Ｂによる発信要求を切断する処理が行われる（Ｓ２２５）。その後、ステップＳ２１６で移動通信端末１０Ｂの在圏情報取得処理を行った接続切断処理部７２により、第１移動通信交換装置７０と第２移動通信交換装置８０とが接続され、移動通信端末１０Ａと移動通信端末１０Ｂとの間で通話が再開される（Ｓ２２６）。なお、通話が再開された後、発信優先権管理装置６０が終話通知信号を受けとると、上述した発信優先権の開放処理を行って、発信優先権を消去する（Ｓ２２７）。
【０１０２】
本実施形態によれば、一方の通信交換装置７０又は８０からの発信優先権要求信号Ａ又はＢに含まれる端末特定情報で特定される両移動通信端末１０Ａ，１０Ｂと同一の通信端末間の発着信にかかる接続要求に対して所定の時間内に発信優先権を付与したか否かを判定する。そして、同一の移動通信端末１０Ａ，１０Ｂ間の発着信にかかる接続要求に対して所定の時間内に発信優先権を付与していないと判定された場合、発信優先権要求信号Ａ又はＢに対して発信優先権を付与した発信優先権応答信号を生成して、一方の通信交換装置７０又は８０へ送信し、また、発信優先権を付与したと判定された場合、発信優先権要求信号Ａ又はＢに対して発信規制することを示した発信規制信号を生成して、他方の通信交換装置７０又は８０へ送信するようになっている。このように、同一の移動通信端末１０Ａ，１０Ｂ間における先の接続要求に対して優先権を与えると共に既に発信優先権が付与された同一の移動通信端末１０Ａ，１０Ｂ間における後続の接続要求に対しては発信規制することにより、発信優先権が付与された接続要求に基づいて通信を確立させて、同一の移動通信端末１０Ａ，１０Ｂ間での略同時発信による通信を確立させることができる。この結果、同一の移動通信端末１０Ａ，１０Ｂ間で略同時に双方から発信した場合であっても、保留等されずに両移動通信端末１０Ａ，１０Ｂ間での通信を確立させることができ、通話を行うことができる。なお、本実施形態は、切断されたすべての通信に対して行うことが可能であるが、電波環境の悪化による呼切断に基づく通信の再接続に限定して行うことで、管理する通信接続の処理数を少なくすることができ、発信優先権の一元管理を効率的にすることができる。
［第４実施形態］
【０１０３】
次に、本発明の第４実施形態について説明する。本実施形態は、第１実施形態において移動通信交換装置４０，５０で行っていた乱数の設定や各種判定（送受信時間判定、同一端末判定、及び優先接続判定）を各移動通信端末で行うものである。なお、用いられる通信システム１は、第１実施形態と略同様であり、図１の移動通信端末１０（１０Ａ，１０Ｂ）が下記の移動通信端末９０（９０Ａ，９０Ｂ）に替わる点が相違する。また、本実施形態における移動通信交換装置４０，５０は、従来の移動通信交換装置と同様である。
【０１０４】
まず、本実施形態にかかる移動通信端末９０について説明する。図１３は、移動通信端末９０のハードウェア構成図である。図１３に示すように、移動通信端末９０は、物理的には、ＣＰＵ９０ａ、ＲＯＭ９０ｂおよびＲＡＭ９０Ｃ等の主記憶装置、使用者による入力を受け付けるための操作部９０ｄ、移動通信交換装置４０，５０等との間で無線通信を行うための無線通信部９０ｅ、各種の情報を表示するディスプレイ９０ｆなどを含む通常のコンピュータシステムとして構成される。後述する移動通信端末９０の各機能は、ＣＰＵ９０ａ、ＲＯＭ９０ｂ、ＲＡＭ９０ｃ等のハードウェア上に所定のコンピュータソフトウェアを読み込ませることにより、ＣＰＵ９０ａの制御の元で無線通信部９０ｅを動作させると共に、主記憶装置９０ｂ，９０ｃにおけるデータの読み出しおよび書き込みを行うことで実現される。
【０１０５】
図１４は、移動通信端末９０の構成概要図である。図１４に示すように、移動通信端末９０は、機能的には、送受信部（発信要求信号送信手段、着信要求信号受信手段）９１、乱数設定部（第１優先度情報取得手段）９２、発信要求信号生成部９３、送受信時間判定部（送受信時間判定手段）９４、同一端末判定部（同一端末判定手段）９５、優先接続判定部（優先接続判定手段）９６、及び通信開放処理部（発信要求取消し手段）９７を備えて構成される。
【０１０６】
送受信部９１は、無線通信部９０ｅを動作させて各種の信号を送受信するものである。例えば、送受信部９１は、他の移動通信端末９０への発信要求を示す発信要求信号（例えば発信要求信号Ａ、図１５参照）を、在圏中の通信エリアの通信を制御している移動通信交換装置４０又は５０へ送信する。また、送受信部９１は、他の移動通信端末９０からの発信要求による着信要求信号（例えば着信要求信号Ｂ、図１５参照）を、在圏中の通信エリアの通信を制御している移動通信交換装置４０又は５０から受信する。この着信要求信号には、後述するように、乱数情報が付与されている。また、送受信部９１は、移動通信交換装置４０又は５０へ発信要求信号を送信した送信時刻情報や移動通信交換装置４０又は５０から着信要求信号を受信した受信時刻情報を送受信時間判定部９４に出力する。
【０１０７】
乱数設定部９２は、移動通信端末９０から発信要求を行なうとする際に、その都度、所定の乱数Ａ（第１優先度情報、第１の数値情報）を設定するものである。乱数設定部９２は、移動通信端末９０の使用者によって操作部９０ｄが操作されて、他の移動通信端末９０への発信処理がＲＯＭ９０ｂ等に格納されている発信プログラムを呼び出すことなどにより行われると、接続要求の優先度を示す乱数Ａを設定する。乱数Ａの設定は、ＲＯＭ９０ｂ等に格納されている乱数設定プログラムを呼び出すことなどにより行われる。乱数Ａを設定した乱数設定部９２は、乱数Ａを示す数値情報を発信要求信号生成部９３に出力すると共に、この乱数Ａを示す数値情報を優先接続判定部９６に出力する。
【０１０８】
発信要求信号生成部９３は、他の移動通信端末９０に対する発信要求を示す発信要求信号を生成するものである。発信要求信号生成部９３は、使用者によって操作部９０ｄが操作されて、他の移動通信端末９０への発信処理が行われると、発信要求信号を生成する。この発信要求信号には、発信元の移動通信端末９０の電話番号と発信先の移動通信端末９０の電話番号とを示す端末特定情報が含まれ、さらに、乱数設定部９２から出力された乱数Ａを示す数値情報が付与されている。発信要求信号生成部９３は、このような情報を含む発信要求信号を送受信部９１及び同一端末判定部９５に出力する。送受信部９１に出力された発信要求信号は、その移動通信端末９０の通信を制御している移動通信交換装置４０，５０に送信される。他の移動通信端末９０でも同様の発信要求信号が生成され、移動通信交換装置４０，５０等に送信される。乱数設定部９２で設定される乱数Ａと、他の移動通信端末９０の乱数設定部９２で設定される乱数Ｂとは、同一の移動通信端末９０間で双方から略同時に発信が行われた場合に、優先させる接続要求を示すための優先接続情報となる。そのため、一の移動通信端末９０においては、乱数Ａを設定する乱数設定部９２と、他の移動通信端末９０で設定された乱数Ｂを含む着信要求信号を受信する送受信部９１とにより、優先接続情報取得手段が構成される。
【０１０９】
送受信時間判定部９４は、送受信部９１による移動通信交換装置４０，５０への発信要求信号の送信と、送受信部９１による移動通信交換装置４０，５０からの着信要求信号の受信とが所定の時間内に行われたか否かを判定するものである。送受信時間判定部９４は、送受信部９１から入力された発信要求信号の送信時刻情報と着信要求信号の受信時刻情報とに基づき、発信要求信号と着信要求信号とのうち先に送受信された最早の発着信要求信号の送受信時からその最早の発着信要求信号に基づく呼が呼出中の状態に遷移するまでの間に後続の発着信要求信号を受信した場合には、発信要求信号の送信と着信要求信号の受信とが所定の時間内に行われたと判定する。送受信時間判定部９４は、発着信要求信号の送受信が所定の時間内に行われたと判定した場合には、同一タイミングでの送受信を示す同時送受信判定情報を同一端末判定部９５に出力する。一方、発着信要求信号の送受信が所定の時間内に行われなかったと判定された場合には通常の発着信処理を行わせる。
【０１１０】
同一端末判定部９５は、送受信時間判定部９４で発信要求信号の送信と着信要求信号の受信とが所定の時間内に行われたと判定された場合、送受信部９１から発信された発信要求信号による着信に係る移動通信端末と、送受信部９１で受信した着信要求信号による発信に係る移動通信端末とが同一であるか否かを判定するものである。同一端末判定部９５は、送受信時間判定部９４から同時送受信判定情報が入力されると、発信要求信号生成部９３から入力される発信要求信号に含まれる端末特定情報や送受信部９１から入力される着信要求信号に含まれる端末特定情報を参照する。同一端末判定部９５は、参照した端末特定情報に基づいて、発信要求信号による発信先の移動通信端末の電話番号と着信要求信号による発信元の移動通信端末の電話番号とが同一であるか否かを判定する。同一端末判定部９５は、発着信要求信号に係る移動通信端末が同一であると判定した場合には、同一端末判定情報を優先接続判定部９６に出力する。一方、移動通信端末が同一でないと判定した場合には、双方発信の状態とならないため、通常の発着信処理を行わせる。
【０１１１】
優先接続判定部９６は、同一端末判定部９５で発信要求信号による着信に係る移動通信端末と着信要求信号による発信に係る移動通信端末とが同一であると判定された場合、乱数設定部９２で設定された乱数Ａなどに基づいて、発信要求信号による接続要求を、着信要求信号にかかる接続要求に対して優先させるか否かを判定するものである。例えば、移動通信端末９０間で双方から略同時に互いに発信が行われた場合、同一端末判定部９５は、移動通信端末９０が同一であると判定する。そして、優先接続判定部９６は、乱数設定部９２から入力される乱数Ａと送受信部９１から入力される乱数Ｂとの大小を比較し、大きい数値が付与された発着信要求信号による接続要求を、他方の小さい数値が付与された発着信要求信号による接続要求に対して優先させるといった判定をする。
【０１１２】
つまり、優先接続判定部９６は、乱数Ａが乱数Ｂより大きければ、移動通信交換装置４０，５０への発信要求信号による接続要求を、移動通信交換装置４０，５０からの着信要求信号による接続要求に対して優先させる判定を行う。一方、乱数Ｂが乱数Ａより大きければ、移動通信交換装置４０，５０からの着信要求信号による接続要求を、移動通信交換装置４０，５０への発信要求信号による接続要求に対して優先させる判定を行う。優先接続判定部９６は、移動通信交換装置４０，５０からの着信要求信号による接続要求を優先させる場合には、非優先判定情報を通信開放処理部９７に出力する。
【０１１３】
通信開放処理部９７は、優先接続判定部９６で移動通信交換装置４０，５０への発信要求信号による接続要求を、移動通信交換装置４０，５０からの着信要求信号による接続要求に対して優先させる判定を行う場合には、着信要求信号に基づく移動通信端末９０と制御する移動通信交換装置４０，５０との間における接続を切断する処理を行う。この切断処理として、具体的には、移動通信交換装置４０，５０からの着信要求信号に対する切断を要求する切断要求信号を移動通信交換装置４０，５０に送信し、移動通信交換装置４０，５０側の切断処理を促す。その後、移動通信交換装置４０，５０側で切断処理が行われると、移動通信交換装置４０，５０から開放要求が送信される。通信開放処理部９７は、送信された開放要求信号を受信すると、開放処理を行い、開放処理が完了すると、開放応答信号を移動通信交換装置４０，５０へ送信する。
【０１１４】
一方、通信開放処理部９７は、優先接続判定部９６で移動通信交換装置４０，５０からの着信要求信号による接続要求を、移動通信交換装置４０，５０への発信要求信号による接続要求に対して優先させる判定を行う場合には、発信要求信号に基づく移動通信端末９０と制御する移動通信交換装置４０，５０との間における接続や移動通信交換装置４０，５０間における接続を切断する処理を行う。この切断処理として、具体的には、移動通信交換装置４０，５０への発信要求信号に対する切断を要求する切断要求信号を移動通信端末９０から移動通信交換装置４０，５０に送信し、切断処理を促す。その後、移動通信交換装置４０，５０側で切断処理が行われると、移動通信交換装置４０，５０から開放要求が送信される。通信開放処理部９７は、送信された開放要求信号を受信すると、開放処理を行い、開放処理が完了すると、開放応答信号を移動通信交換装置４０，５０へ送信する。なお、非優先の移動通信端末９０からの切断要求信号を受信した移動通信交換装置４０，５０は、非優先の移動通信端末９０からの発信要求による接続要求が行なわれた他の移動通信交換装置４０，５０に対して、開放要求信号を送信し、他の移動通信交換装置４０，５０で開放要求が完了すると、開放応答信号を受信する。
【０１１５】
このように通信開放処理部９７により、同時発信時における一方の移動通信端末９０からの発信要求による接続要求が取り消されると、接続要求が取消された側の移動通信端末９０は、優先判定された接続要求に基づいた着信要求信号に応じた着信要求応答受付信号を自動的に移動通信交換装置４０，５０に送信する。このように、同時発信時における他方の移動通信端末９０からの発信要求による接続要求信号に係る接続の処理は、一方の接続要求信号に係る処理を行っている間は行うことができないため、当該接続要求信号に係る処理が終了した後に行われる。接続要求が取り消された側の移動通信端末９０を制御する移動通信交換装置４０，５０がこの着信要求応答受付信号を移動通信端末９０から受信すると、着信要求受付応答信号を受信した移動通信交換装置４０，５０は、優先判定された移動通信端末９０を制御する移動通信交換装置４０，５０に対して、接続要求応答信号と接続準備完了通知信号とを送信する。これにより、移動通信端末９０間の通信が確立される。
【０１１６】
続いて、通信システム１により行われる動作（通信制御方法）について、図１５及び図１６を参照しながら説明する。図１５及び図１６は、通信システム１の動作を示すシーケンス図である。なお、本実施形態では、移動通信端末９０（９０Ａ，９０Ｂ）間で通話中に移動通信端末９０Ａ側で呼切断が発生した場合を例にとって説明するが、移動通信端末９０Ｂ側で呼切断が発生した場合には、移動通信端末９０Ａ，９０Ｂの動作が入れ替わって同様の動作がなされる。
【０１１７】
まず、移動通信端末９０Ａと移動通信端末９０Ｂとが接続されて通話中である場合（Ｓ３０１）に、移動通信端末９０Ａ側の電波状態が悪化するようなことがあると、移動通信端末９０Ａが呼切断される（Ｓ３０２）。この呼切断を検出すると、第１移動通信交換装置４０は、第２移動通信交換装置５０との間の通信接続を切断する（Ｓ３０３）。このように電波状態の悪化により通話が突然、切断されると、通話中であった両者は、通話を再開させようとして、その後、移動通信端末９０Ａから移動通信端末９０Ｂへの発信要求（発信要求信号Ａ）と移動通信端末９０Ｂから移動通信端末９０Ａへの発信要求（発信要求信号Ｂ）とが略同時に行われる場合がある。
【０１１８】
このような場合において、移動通信端末９０Ａでは、発信要求信号Ａを送受信部９１から送信する前に、乱数設定部９２が発信要求信号Ａの優先度を示す優先度情報である乱数Ａを設定する（Ｓ３０４）。乱数設定部９２は、乱数Ａを設定すると、乱数Ａを示す数値情報を発信要求信号生成部９３に出力すると共に乱数Ａを示す数値情報を優先接続判定部９６に出力する。その後、発信要求信号生成部９３は、乱数Ａを含む発信要求信号Ａを生成して、発信要求信号Ａを第１移動通信交換装置４０に送信する（発信要求信号送信ステップ、Ｓ３０５）。送受信部９１は、第１移動通信交換装置４０へ発信要求信号Ａを送信した送信時刻情報を送受信時間判定部９４に出力する。また、他方の移動通信端末９０Ｂでも、同様に乱数Ｂが設定され（Ｓ３０６）、発信要求信号生成部９３により、乱数Ｂを含む発信要求信号Ｂが第２移動通信交換装置５０へ送信される（Ｓ３０７）。なお、発信要求信号Ａ、Ｂを受信した各移動通信交換装置４０，５０では、接続切断処理部４２，５２により、発信先の移動通信端末９０の在圏情報を各加入者情報管理装置２０，３０から取得する（Ｓ３０８、Ｓ３０９）。
【０１１９】
在圏情報を取得した移動通信交換装置４０，５０は、他方の移動通信交換装置４０，５０に対して、それぞれ接続要求信号Ａ又はＢを送信する（Ｓ３１０，Ｓ３１１）。そして、接続要求信号Ａ又はＢを受信した移動通信交換装置４０，５０は、移動通信端末９０Ａに対しては、接続要求信号Ｂによる着信要求信号Ｂを送信し、移動通信端末９０Ｂに対しては、接続要求信号Ａによる着信要求信号Ａを送信する（Ｓ３１２，Ｓ３１３）。
【０１２０】
続いて、移動通信端末９０Ａでは、着信要求信号Ｂを送受信部９１で受信する（着信要求信号受信ステップ、Ｓ３１２）。送受信部９１は、着信要求信号Ｂを受信した受信時刻情報を送受信時間判定部９４へ出力する。送受信時間判定部９４は、送信時刻情報と受信時刻情報とが入力されると、発信要求信号Ａの送信と着信要求信号Ｂの受信とが所定の時間内に行われたか否かを判定する（送受信時間判定ステップ、Ｓ３１４）。送受信時間判定部９４が発着信要求信号の送受信が所定の時間内に行なわれたと判定した場合には、ステップＳ３１５に進み、発着信要求信号の送受信が所定の時間内に行なわれなかったと判定した場合には、ステップＳ３１６に進んで通常の発着信処理を行う。着信要求信号Ａを受信した移動通信端末９０Ｂの送受信時間判定部９４でも、同様の判定を行う（Ｓ３１７、Ｓ３１６）。なお、ステップＳ３０４の乱数Ａの設定ステップと、ステップＳ３１２の乱数Ｂを含む着信要求信号Ｂの受信ステップとにより、移動通信端末９０Ａにおいて、発信要求信号Ａによる接続要求と着信要求信号Ｂによる接続要求とのうち優先される接続要求を示す優先接続情報が取得される優先接続情報取得ステップが構成される。
【０１２１】
続いて、送受信時間判定部９４にて発着信要求信号の送受信が所定の時間内に行なわれたと判定された場合には、受信した着信要求信号Ｂによる発信に係る移動通信端末９０Ｂと送信した発信要求信号Ａによる着信に係る移動通信端末９０Ｂとが同一であるか否かを同一端末判定部９５が判定する（同一端末判定ステップ、Ｓ３１５）。同一端末判定部９５が両移動通信端末９０Ｂは同一であると判定した場合には、ステップＳ３１７に進み、両移動通信端末９０Ｂは同一でないと判定した場合には、ステップＳ３１６に進んで通常の発着信処理を行う。発信要求信号Ａを受信した移動通信端末９０Ｂの同一端末判定部９５でも、同様の判定を行う（Ｓ３１８、Ｓ３１６）。
【０１２２】
続いて、同一端末判定部９５にて両移動通信端末が同一と判定された場合には、発信要求信号Ａに付与されている乱数Ａと着信要求信号Ｂに付与されている乱数Ｂとから、優先接続判定部９６は、発信要求信号Ａによる接続要求Ａを、着信要求信号Ｂによる接続要求Ｂに対して優先させるか否かを判定する（優先接続判定ステップ、Ｓ３１７）。移動通信端末９０Ｂの優先接続判定部９６でも、同様の判定を行う（Ｓ３１９）。なお、本動作説明では、以下、乱数Ａが付与された発信要求信号Ａが優先される場合について説明するが、乱数Ｂが付与された着信要求信号Ｂが優先される場合（Ｓ３２０）についても、移動通信端末９０Ａ，９０Ｂの動作が入れ替わって同様の動作がなされる。
【０１２３】
まず、移動通信端末９０Ａにおいて、通信開放処理部９７は、第１移動通信交換装置４０からの着信要求信号Ｂに対する切断を要求する切断要求信号を第１移動通信交換装置５０に送信し（Ｓ３２１）、接続要求信号Ｂによる接続要求の切断処理を第１移動通信交換装置４０に対して促す。その後、第１移動通信交換装置４０で切断処理が行われると、第１移動通信交換装置４０から開放要求信号が移動通信端末９０Ａに対して送信される（Ｓ３２２）。移動通信端末９０Ａが送信された開放要求信号を受信すると（Ｓ３２２）、通信開放処理部９７は、開放処理を行い、開放処理が完了すると、開放応答信号を第１移動通信交換装置４０へ送信する（Ｓ３２３）。ステップＳ３２１〜Ｓ３２３の各処理により、接続要求信号Ｂに基づく移動通信端末９０Ａと第１移動通信交換装置４０との間における接続が切断処理される。
【０１２４】
一方、移動通信端末９０Ｂにおいて、通信開放処理部９７は、第２移動通信交換装置５０への発信要求信号Ｂに対する切断を要求する切断要求信号を第２移動通信交換装置５０に送信し（Ｓ３２４）、接続要求信号Ｂによる接続要求の切断処理を第２移動通信交換装置５０に対して促す。その後、第２移動通信交換装置５０で切断処理が行われると、第２移動通信交換装置５０から開放要求信号が移動通信端末９０Ｂに対して送信される（Ｓ３２５）。移動通信端末９０Ｂが送信された開放要求信号を受信すると（Ｓ３２５）、通信開放処理部９７は、開放処理を行い、開放処理が完了すると、開放応答信号を第２移動通信交換装置５０へ送信する（Ｓ３２６）。ステップＳ３２４〜Ｓ３２６の各処理により、発信要求信号Ｂに基づく移動通信端末９０Ｂと第２移動通信交換装置５０との間における接続が切断処理される。なお、移動通信端末９０Ｂからの切断要求信号を受信した第２移動通信交換装置５０は、移動通信端末９０Ｂからの発信要求信号Ｂによる接続要求信号Ｂの送信が行なわれた第１移動通信交換装置４０に対して、開放要求信号を送信し（Ｓ３２７）、第１移動通信交換装置４０における接続要求信号Ｂに対する開放処理が終了すると、開放要求が終了したことを示す開放応答信号を受信する（Ｓ３２８）。これらステップＳ３２１〜ステップＳ３２８によって発信要求取消しステップが構成され、移動通信端末９０Ｂからの発信要求信号Ｂによる接続要求が取り消される。
【０１２５】
このように通信開放処理部９７により、移動通信端末９０Ｂからの発信要求信号Ｂによる接続要求が取り消されると、移動通信端末９０Ａからの発信要求信号Ａによる着信要求信号を受信した移動通信端末９０Ｂからの着信要求受付応答信号を第２移動通信交換装置５０が受信すると（Ｓ３２９）、第２移動通信交換装置５０は、接続要求信号Ａに対する接続要求応答信号と接続準備完了通知信号とを第１移動通信交換装置４０に送信する（Ｓ３３０，Ｓ３３１）。接続準備完了通知が送信されると、第１移動通信交換装置４０と第２移動通信交換装置５０との間で通信が接続され、移動通信端末９０Ａと移動通信端末９０Ｂとの間で通話が再開される（Ｓ３３２）。
【０１２６】
本実施形態によれば、発信要求信号Ａ又はＢによる接続要求と着信要求信号Ｂ又はＡによる接続要求とのうち優先される接続要求を示す優先接続情報を取得する。続いて、発信要求信号Ａ又はＢ及び着信要求信号Ｂ又はＡに係る相手方の移動通信端末９０が同一であれば、取得された優先接続情報に基づいて、発信要求信号Ａ又はＢによる接続要求を着信要求信号Ｂ又はＡによる接続要求に対して優先させるか否かを判定する。そして、発信要求信号Ａ又はＢによる接続要求を着信要求信号Ｂ又はＡによる接続要求に対して優先させないと判定した場合に、発信要求信号Ａ又はＢによる接続要求の取消し処理を行うようになっている。このように、同一の移動通信端末９０Ａ，９０Ｂ間での発信に係る発信要求信号Ａ又はＢ及び着信要求信号Ｂ又はＡのうち一方の発着信要求信号による接続要求の取消し処理を行うことにより、他方の発着信要求信号による接続要求に基づく通信を確立させて、同一の移動通信端末９０Ａ，９０Ｂ間での略同時発信による通信を確立させることができる。この結果、同一の移動通信端末９０Ａ，９０Ｂ間で略同時に双方から発信した場合であっても、保留等されずに両移動通信端末９０Ａ，９０Ｂ間での通信を確立させることができ、通話を行うことができる。
【０１２７】
以上、本発明を実施形態に基づき具体的に説明したが、本発明は、上記実施形態に限定されるものではない。例えば、上記実施形態では、一時的な電波環境の悪化による呼切断があった後の略同時発信の場合に適用した例で説明したが、呼切断以外の場合であっても、同一の移動通信端末間でたまたま略同時発信がなされたような場合にも適用される。また、上記実施形態では、移動通信端末の場合について説明したが、移動通信端末以外の固定端末等に本発明を適用してももちろんよい。
【図面の簡単な説明】
【０１２８】
【図１】第１実施形態に係る通信システムの構成概要図である。
【図２】第１実施形態に係る第１移動通信交換装置のハードウェア構成図である。
【図３】第１実施形態に係る第１移動通信交換装置の構成概要図である。
【図４】第１実施形態に係る通信システムの動作を示すシーケンス図である。
【図５】第１実施形態に係る通信システムの動作を示すシーケンス図である。
【図６】第２実施形態に係る通信システムの動作を示すシーケンス図である。
【図７】第３実施形態に係る通信システムの構成概要図である。
【図８】第３実施形態に係る発信優先権管理装置の構成概要図である。
【図９】第３実施形態に係る第１移動通信交換装置の構成概要図である。
【図１０】呼切断発生情報の一例を示す図である。
【図１１】第３実施形態に係る通信システムの動作を示すシーケンス図である。
【図１２】第３実施形態に係る通信システムの動作を示すシーケンス図である。
【図１３】第４実施形態に係る移動通信端末のハードウェア構成図である。
【図１４】第４実施形態に係る移動通信端末の構成概要図である。
【図１５】第４実施形態に係る通信システムの動作を示すシーケンス図である。
【図１６】第４実施形態に係る通信システムの動作を示すシーケンス図である。
【符号の説明】
【０１２９】
１，１ａ…通信システム、１０，９０…移動通信端末、２０…第１加入者情報管理装置、３０…第２加入者情報管理装置、４０，７０…第１移動通信交換装置，４１，５１，６２，７１，８１，９１…送受信部、４２，５２，７２，８２…接続切断処理部、４３，５３，９２…乱数設定部、４４，５４…接続要求信号生成部、４５，５５，９４…送受信時間判定部、４６，５６，９５…同一端末判定部、４７，５７，９６…優先接続判定部、４８，５８…接続要求取消し部、５０，８０…第２移動通信交換装置。６０…発信優先権権利装置、６１…発信優先権管理部、６３…発信優先権付与判定部、６４…優先応答信号生成部、６５…発信規制応答信号生成部、７３，８３…切断有無判定部、７４，８４…発信優先権要求信号生成部、９３…発信要求信号生成部、９７…通信開放処理部。
【図１】
2010124151.tif 000003
【図２】
2010124151.tif 000004
【図３】
2010124151.tif 000005
【図４】
2010124151.tif 000006
【図５】
2010124151.tif 000007
【図６】
2010124151.tif 000008
【図７】
2010124151.tif 000009
【図８】
2010124151.tif 000010
【図９】
2010124151.tif 000011
【図１０】
2010124151.tif 000012
【図１１】
2010124151.tif 000013
【図１２】
2010124151.tif 000014
【図１３】
2010124151.tif 000015
【図１４】
2010124151.tif 000016
【図１５】
2010124151.tif 000017
【図１６】
2010124151.tif 000018